(57)【要約】  本発明が、ヘミセルロース骨格又はデンプン骨格を含む疎水変性カチオン性ポリマーを含む布地改良剤組成物、並びにその製造及び使用プロセスに関する。かかる組成物は、クリーミング／相分離などの安定性面での欠点を顕著に増やすことなく、柔軟仕上げ剤活性物質の改善された付着性を示す。【特許請求の範囲】
【請求項１】
組成物であって、総組成物重量を基準にして、
ａ）少なくとも０．０１％、好ましくは２．５％〜０．０１％、より好ましくは２．０％〜０．０５％、より好ましくは１．７５％〜０．１％、最も好ましくは１．７０％〜０．１５％の、ヘミセルロース骨格又はデンプン骨格を含む疎水変性カチオン性ポリマーであって、好ましくは該疎水変性カチオン性ポリマーが、１０，０００〜１０，０００，０００ダルトンの範囲の重量平均分子量を有し、フラノース残基、ピラノース残基、及びこれらのいずれかの混合物からなる群から選択されるモノマー単位を含み、複数の該モノマー単位が、カチオン性、疎水性、又はカチオン性かつ疎水性である置換基を含み、該置換基の最大数がモノマーあたり３であり、該置換基によって骨格にもたらされる全カチオン性置換度が、０．０１〜０．２の範囲であり、該置換基によって骨格にもたらされる全疎水性置換度が、０．００１〜１．０の範囲である、疎水変性カチオン性ポリマーと、
ｂ）柔軟仕上げ剤活性物質であって、好ましくは、ジ末端柔軟仕上げ剤活性物質、モノ末端柔軟仕上げ剤活性物質、イオン対柔軟仕上げ剤活性物質、及びこれらの混合物からなる群から選択される、柔軟仕上げ剤活性物質と、
を含み、前記組成物が、２０００ｃｐｓ未満、好ましくは１０００ｃｐｓ〜１５ｃｐｓ、より好ましくは７００ｃｐｓ〜２５ｃｐｓ、より好ましくは６００ｃｐｓ〜２５ｃｐｓ、最も好ましくは２００ｃｐｓ〜５０ｃｐｓの粘度を有する、組成物。
【請求項２】
前記疎水変性カチオン性ポリマーがピラノース残基を含み、少なくとも１つの該ピラノース残基が、置換及び非置換グルコピラノース残基である、請求項１に記載の組成物。
【請求項３】
少なくとも１つの前記置換基が、次式：
【化１】
2014532820.tif 000029
（式中、
各Ｒ４が、独立して、Ｈ、ＣＨ３、及び直鎖又は分枝鎖、飽和又は不飽和Ｃ２〜Ｃ１８アルキルからなる群から選択される置換基であり、ただし、少なくとも２つのＲ４基の炭素数の合計が２４を超えず、
Ｒ５が、直鎖若しくは分枝鎖、飽和若しくは不飽和Ｃ２〜Ｃ１８アルキル、又は直鎖若しくは分枝鎖、飽和若しくは不飽和二級ヒドロキシ（Ｃ２〜Ｃ１８）アルキルであり、
Ｌが、−Ｏ−、−Ｃ（Ｏ）Ｏ−、−ＮＲ９、−Ｃ（Ｏ）ＮＲ９−、及び−ＮＲ９Ｃ（Ｏ）ＮＲ９−からなる群から選択される連結基であって、Ｒ９が、Ｈ又はＣ１〜Ｃ６アルキルであり、
ｗが、０又は１の値を有し、
ｙが、０又は１の値を有し、
ｚが、０又は１の値を有する）
を有する、請求項１に記載の組成物。
【請求項４】
少なくとも１つの前記置換基が、次の式ＩＶ：
【化２】
2014532820.tif 000030
（式中、
ｄが、０又は１の値を有し、
ｅが、０又は１の値を有し、
ｆが、０〜８の整数であり、
ｇが、０〜５０の整数であり、
各Ｒ７が、独立して、エチレン、プロピレン、ブチレン、又はこれらの混合物の群から選択され、
Ｒ８が、水素、Ｃ１〜Ｃ２０アルキル、ヒドロキシ、−ＯＲ１０からなる群から選択される末端基であって、Ｒ１０はメチルである）
を有する、請求項３に記載の組成物。
【請求項５】
前記疎水変性カチオン性ポリマーが、少なくとも、式Ｉに示す構造、及び１０，０００〜１，０００，０００ダルトンの範囲の重量平均分子量を有する第１ランダム置換ポリサッカライドと、式Ｉに示す構造、及び１，０００，０００〜１０，０００，０００ダルトンの範囲の重量平均分子量を有する第２ランダム置換ポリサッカライドとのブレンドを含み、好ましくは、ランダム置換ポリサッカライド骨格が、式ＩＢ：
【化３】
2014532820.tif 000031
に示す一般構造を有するランダム置換デンプン骨格であり、
より好ましくは、ランダム置換デンプン骨格が、トウモロコシデンプン、小麦デンプン、米デンプン、ワクシートウモロコシデンプン、オート麦デンプン、キャッサバデンプン、ワクシーオオムギデンプン、ワクシー米デンプン、グルテナス米デンプン、スイート米デンプン、じゃがいもデンプン、タピオカデンプン、サゴデンプン、高アミロースデンプン、又はこれらの混合物から選択されるデンプン由来であり、最も好ましくは、ランダム置換デンプン骨格が、３０重量％〜９０重量％のアミロース含量を有する高アミロースデンプン由来である、請求項４に記載の組成物。
【請求項６】
前記ランダム置換デンプン骨格が、少なくとも１つのα（１→６）ポリグルコピラノース分岐を更に含むランダム置換アミロペクチン骨格であり、ポリグルコピラノース分岐が、非置換及び置換グルコピラノース残基を含む、請求項１４に記載の組成物。
【請求項７】
前記ポリサッカライド骨格が、非置換又は置換キシロース残基、非置換又は置換マンノース残基、非置換又は置換ガラクトース残基、非置換又は置換ラムノース残基、非置換又は置換アラビノース残基、及びこれらの組み合わせからなる群から選択される、少なくとも１つの非置換又は置換炭水化物残基を更に含むランダム置換ヘミセルロース骨格である、請求項１に記載の組成物。
【請求項８】
ヘミセルロース骨格又はデンプン骨格を含む疎水変性カチオン性ポリマーと、柔軟仕上げ剤活性物質とを組み合わせる工程を含む、液体布地改良剤組成物の製造方法。
【請求項９】
前記疎水変性カチオン性ポリマーが、非置換及び置換グルコピラノース残基、及び式Ｉに示す一般構造を有するランダム置換ポリサッカライド骨格を含み、
【化４】
2014532820.tif 000032
（式中、各置換グルコピラノース残基が、独立して、各置換グルコピラノース残基上で同一であるか又は異なってもよい、１〜３個のＲ置換基を含み、
式中、各Ｒ置換基が、独立して、ヒドロキシル、ヒドロキシメチル、Ｒ１、Ｒ２、Ｒ３、及び式Ｉに示す一般構造を有するポリサッカライド分岐；又はヒドロキシル、ヒドロキシメチル、Ｒ１、Ｒ２、及び式Ｉに示す一般構造を有するポリサッカライド分岐から選択される置換基であり、ただし、少なくとも１つのＲ置換基が、少なくとも１つのＲ１及び少なくとも１つのＲ２を含み、
式中、各Ｒ１が、独立して、同一であるか又は異なり、第１置換基は、０．０１〜０．２の範囲の置換度、及び式ＩＩに示す構造を有し、
【化５】
2014532820.tif 000033
式中、各Ｒ４が、Ｈ、ＣＨ３、直鎖又は分枝鎖、飽和又は不飽和Ｃ２〜Ｃ１８アルキルからなる群から選択される置換基であり、ただし、少なくとも２つのＲ４基の炭素数の合計が２４を超えず、Ｒ５が、直鎖若しくは分枝鎖、飽和若しくは不飽和Ｃ２〜Ｃ１８アルキル、又は直鎖若しくは分枝鎖、飽和若しくは不飽和二級ヒドロキシ（Ｃ２〜Ｃ１８）アルキルであり、Ｌが、−Ｏ−、−Ｃ（Ｏ）Ｏ−、−ＮＲ９−、−Ｃ（Ｏ）ＮＲ９−、及び−ＮＲ９Ｃ（Ｏ）ＮＲ９−からなる群から選択される連結基であり、Ｒ９が、Ｈ又はＣ１〜Ｃ６アルキルであり、ｗが、０又は１の値を有し、ｙが、０又は１の値を有し、ｚが、０又は１の値を有し、
各Ｒ２が、独立して、同一であるか又は異なり、第２置換基が、０．００１〜０．５の範囲の置換度及び式ＩＩＩに示す構造を有し、
【化６】
2014532820.tif 000034
式中、Ｒ６が、カルボキシレート、カルボキシメチル、スクシネート、サルフェート、スルホネート、アリールスルホネート、ホスフェート、ホスホネート、ジカルボキシレート、及びポリカルボキシレートからなる群から選択されるアニオン性置換基であり、ａが、０又は１の値を有し、ｂが、０〜１８の整数であり、ｃが、０又は１の値を有し、
各Ｒ３が、独立して、同一であるか又は異なり、０又は０．００１〜１．０の範囲の置換度及び式ＩＶに示す構造を有する第３の置換基を有し、
【化７】
2014532820.tif 000035
式中、ｄが、０又は１の値を有し、ｅが、０又は１の値を有し、ｆが、０〜８の整数であり、ｇが、０〜５０の整数であり、各Ｒ７が、エチレン、プロピレン、ブチレン、又はこれらの混合物の基であり、Ｒ８が、水素、Ｃ１〜Ｃ２０アルキル、ヒドロキシ、−ＯＲ１及び−ＯＲ２からなる群から選択される末端基であり、
疎水変性カチオン性バイオポリマーが、１０，０００〜１０，０００，０００ダルトンの範囲の重量平均分子量を有し、好ましくは（ＯＲ７）が、構造−Ｏ−ＣＨ（Ｒ１０）ＣＨ２−を有し、Ｒ１０がメチル又はエチルである、請求項１に記載の組成物。
【請求項１０】
前記疎水変性カチオン性ポリマーが、少なくとも、式Ｉに示す構造、及び１０，０００〜１，０００，０００ダルトンの範囲の重量平均分子量を有する第１ランダム置換ポリサッカライドと、式Ｉに示す構造、及び１，０００，０００〜１０，０００，０００ダルトンの範囲の重量平均分子量を有する第２ランダム置換ポリサッカライドとのブレンドを含む、請求項９に記載の組成物。
【請求項１１】
前記ランダム置換ポリサッカライド骨格が、式ＩＢに示す一般構造を有するランダム置換デンプン骨格であり、
【化８】
2014532820.tif 000036
好ましくは、ランダム置換デンプン骨格が、トウモロコシデンプン、小麦デンプン、米デンプン、ワクシートウモロコシデンプン、オート麦デンプン、キャッサバデンプン、ワクシーオオムギデンプン、ワクシー米デンプン、グルテナス米デンプン、スイート米デンプン、じゃがいもデンプン、タピオカデンプン、サゴデンプン、高アミロースデンプン、又はこれらのいずれかの混合物から選択されるデンプン由来であり、より好ましくは、ランダム置換デンプン骨格が、３０重量％〜９０重量％のアミロース含量を有する高アミロースデンプン由来である、請求項９に記載の組成物。
【請求項１２】
布地を、有効量の、請求項１に記載の布地改良剤組成物を含む洗濯ケア組成物と、接触させる工程を含む、布地の処理方法。
【請求項１３】
前記疎水変性カチオン性ポリマーが、非置換及び置換グルコピラノース残基、及び式Ｉに示す一般構造を有するランダム置換ポリサッカライド骨格を含み、
【化９】
2014532820.tif 000037
式中、各置換グルコピラノース残基が、独立して、各置換グルコピラノース残基上で同一であるか又は異なってもよい、１〜３個のＲ置換基を含み、
式中、各Ｒ置換基が、独立して、ヒドロキシル、ヒドロキシメチル、Ｒ１、Ｒ２、Ｒ３、及び式Ｉに示す一般構造を有するポリサッカライド分岐；又はヒドロキシル、ヒドロキシメチル、Ｒ１、Ｒ２、及び式Ｉに示す一般構造を有するポリサッカライド分岐から選択される置換基であり、ただし、少なくとも１つのＲ置換基が、少なくとも１つのＲ１及び少なくとも１つのＲ２を含み、
式中、各Ｒ１が、独立して、同一であるか又は異なり、第１置換基が、０．０１〜０．２の範囲の置換度及び式ＩＩに示す構造を有し、
【化１０】
2014532820.tif 000038
式中、各Ｒ４が、Ｈ、ＣＨ３、直鎖又は分枝鎖、飽和又は不飽和Ｃ２〜Ｃ１８アルキルからなる群から選択される置換基であり、ただし、少なくとも２つのＲ４基の炭素数の合計が２４を超えず、Ｒ５が、直鎖若しくは分枝鎖、飽和若しくは不飽和Ｃ２〜Ｃ１８アルキル、又は直鎖若しくは分枝鎖、飽和若しくは不飽和二級ヒドロキシ（Ｃ２〜Ｃ１８）アルキルであり、Ｌが、−Ｏ−、−Ｃ（Ｏ）Ｏ−、−ＮＲ９−、−Ｃ（Ｏ）ＮＲ９−、及び−ＮＲ９Ｃ（Ｏ）ＮＲ９−からなる群から選択される連結基であり、Ｒ９がＨ又はＣ１〜Ｃ６アルキルであり、ｗが０又は１の値を有し、ｙが０又は１の値を有し、ｚが０又は１の値を有し、
各Ｒ２が、独立して、同一であるか又は異なり、第２置換基が、０．００１〜０．５の範囲の置換度及び式ＩＩＩに示す構造を有し、
【化１１】
2014532820.tif 000039
式中、Ｒ６が、カルボキシレート、カルボキシメチル、スクシネート、サルフェート、スルホネート、アリールスルホネート、ホスフェート、ホスホネート、ジカルボキシレート、及びポリカルボキシレートからなる群から選択されるアニオン性置換基であり、ａが、０又は１の値を有し、ｂが、０〜１８の整数であり、ｃが、０又は１の値を有し、
各Ｒ３が、独立して、同一であるか又は異なり、０又は０．００１〜１．０の範囲の置換度及び式ＩＶに示す構造を有する第３の置換基を有し、
【化１２】
2014532820.tif 000040
式中、ｄが、０又は１の値を有し、ｅが、０又は１の値を有し、ｆが、０〜８の整数であり、ｇが、０〜５０の整数であり、各Ｒ７が、エチレン、プロピレン、ブチレン、又はこれらの混合物の基であり、Ｒ８が、水素、Ｃ１〜Ｃ２０アルキル、ヒドロキシ、−ＯＲ１、及び−ＯＲ２からなる群から選択される末端基であり、
疎水変性カチオン性バイオポリマーが、１０，０００〜１０，０００，０００ダルトンの範囲の重量平均分子量を有し、好ましくは、（ＯＲ７）が、構造−Ｏ−ＣＨ（Ｒ１０）ＣＨ２−を有し、Ｒ１０が、メチル又はエチルである、請求項１に記載の組成物。
【請求項１４】
前記疎水変性カチオン性ポリマーが、少なくとも、式Ｉに示す構造、及び１０，０００〜１，０００，０００ダルトンの範囲の重量平均分子量を有する第１ランダム置換ポリサッカライドと、式Ｉに示す構造、及び１，０００，０００〜１０，０００，０００ダルトンの範囲の重量平均分子量を有する第２ランダム置換ポリサッカライドとのブレンドを含む、請求項１３に記載の組成物。
【請求項１５】
前記ランダム置換ポリサッカライド骨格が、式ＩＢに示す一般構造を有するランダム置換デンプン骨格であり、
【化１３】
2014532820.tif 000041
好ましくは、ランダム置換デンプン骨格が、トウモロコシデンプン、小麦デンプン、米デンプン、ワクシートウモロコシデンプン、オート麦デンプン、キャッサバデンプン、ワクシーオオムギデンプン、ワクシー米デンプン、グルテナス米デンプン、スイート米デンプン、じゃがいもデンプン、タピオカデンプン、サゴデンプン、高アミロースデンプン、又はこれらのいずれかの混合物から選択されるデンプン由来であり、より好ましくは、ランダム置換デンプン骨格が、３０重量％〜９０重量％のアミロース含量を有する高アミロースデンプン由来である、請求項１３に記載の組成物。
【発明の詳細な説明】
【技術分野】
【０００１】
本発明は、ヘミセルロース骨格又はデンプン骨格を含む疎水変性カチオン性ポリマーを含む布地改良剤組成物、並びにその製造及び使用プロセスに関する。
【背景技術】
【０００２】
従来の布地改良剤組成物は、溶媒相及び柔軟仕上げ剤活性物質を含む粒子を典型的に含む。かかる粒子は、小胞の場合がある。加えて、布地改良剤組成物は、布地改良剤組成物中に見出されるが、上記粒子の外側にある柔軟剤活性物質を含む、他の材料を含む場合がある。かかる柔軟剤活性物質が見出される場所にかかわらず、かかる柔軟剤活性物質の付着効率を上げると、布地改良剤組成物の性能を改善でき、及び／又はかかる布地改良剤組成物のコストを低減できることから、このことが望ましい。布地改良剤組成物の付着効率は、典型的に付着ポリマーを添加することによって上昇する。残念ながら、布地改良剤組成物中の付着ポリマーの濃度を上げると、布地改良剤組成物の安定性が低下する。最終的には、付着ポリマーの濃度が上がると、布地改良剤組成物の粒子がバルク分離してはっきりと相分離を起こすか、布地改良剤組成物の粘度変化が起きて、組成物のゲル化に至る。
【０００３】
出願者らは、布地改良剤組成物の溶媒相中の過剰の付着助剤ポリマーによる凝集が枯渇を誘発して相分離を促進すること、及びゲル化は付着助剤ポリマー結合粒子によるものであることを認識している。出願者らは、付着ポリマーの種類及び濃度を適切に選択すると、安定性面での欠点を顕著に増やすことなく、柔軟仕上げ剤活性物質の改善された付着性を示す、布地改良剤組成物をもたらし得ることを発見した。かかる付着ポリマーは、上記粒子に対する吸着親和性が高く（これによって、布地改良剤組成物の溶媒相中のポリマー量を最小限にする）、粒子の結合傾向が低いか又はかかる傾向がないものでなくてはならない。付着ポリマーが正しく選択されると、配合者は、かかるポリマー濃度を上昇させて使用でき、それによって上記安定性面の欠点がない所望の柔軟仕上げ剤活性物質の付着性を実現できる。
【発明の概要】
【発明が解決しようとする課題】
【０００４】
本発明は、ヘミセルロース骨格又はデンプン骨格を含む疎水変性カチオン性ポリマーを含む布地改良剤組成物、並びにその製造及び使用プロセスに関する。かかる組成物は、安定性面での欠点（シリコーン付着性不良、曳糸性、及び／又は低粘度が挙げられ得る）を顕著に増やすことなく、柔軟仕上げ剤活性物質の改善された付着性を示す。
【図面の簡単な説明】
【０００５】
【図１】本発明のプロセスで使用される装置Ａを詳述する。
【図２】本発明の方法で使用される装置のオリフィス構成要素５を詳述する。
【図３】本発明のプロセスで使用される装置Ｂを詳述する。
【発明を実施するための形態】
【０００６】
本発明の状況において、用語「ａ」及び「ａｎ」は、「少なくとも１つ」を意味する。
【０００７】
本明細書で用いるとき、用語「部位（situs）」には、紙製品、繊維、衣服、硬質表面、毛髪、及び皮膚が含まれる。
【０００８】
本明細書で使用するとき、「ヨウ素価」は、サンプル材料１００グラム当たりの吸収されるヨウ素のグラム数である。
【０００９】
本明細書で使用するとき、用語「包含する（include）」、「包含する（includes）」及び「包含している（including）」は、非限定的であるように意味される。
【００１０】
本明細書で使用するとき、用語「流体」は、液体、ゲル、及びペーストの製品形態を含む。
【００１１】
本明細書で用いるとき、用語「部位（situs）」には、紙製品、繊維、衣服、硬質表面、毛髪、及び皮膚が含まれる。
【００１２】
別途記載のない限り、成分又は組成物の濃度は全て、当該成分又は組成物の活性部分に関するものであり、このような成分又は組成物の市販の供給源に存在し得る不純物、例えば残留溶媒又は副生成物は除外される。
【００１３】
割合（％）及び比率は全て、別途記載のない限り重量で計算される。全ての割合（％）及び比率は、別途記載のない限り組成物全体を基準にして計算される。
【００１４】
本明細書の全体を通じて与えられる全ての最大の数値限定は、それよりも小さい数値限定を、そうしたより小さい数値限定があたかも本明細書に明確に記載されているものと同様にして包含するものと理解すべきである。本明細書の全体を通じて与えられる全ての最小数値限定は、それよりも大きい全ての数値限定を、あたかもそれらの大きい数値限定が本明細書に明確に記載されているものと同様にして含むものである。本明細書の全体を通じて与えられる全ての数値範囲は、そのようなより広い数値範囲内に含まれるそれよりも狭い全ての数値範囲を、あたかもそれらのより狭い数値範囲が全て本明細書に明確に記載されているものと同様にして含むものである。
【００１５】
組成物
組成物の総重量に基づき、少なくとも０．０１％、約２．５％〜約０．０１％、約２．０％〜約０．０５％、約１．７５％〜約０．１％、又は約１．７０％〜約０．１５％のヘミセルロース骨格又はデンプン骨格を含む疎水変性カチオン性ポリマーと、柔軟仕上げ剤活性物質と、を含む、組成物であって、２０００ｃｐｓ未満、約１０００ｃｐｓ〜約１５ｃｐｓ、約７００ｃｐｓ〜約２５ｃｐｓ、約６００ｃｐｓ〜約２５ｃｐｓ、又は約２００ｃｐｓ〜約５０ｃｐｓの粘度を有するかかる組成物が開示される。
【００１６】
一態様では、かかる柔軟仕上げ剤活性物質は、ジ末端柔軟仕上げ剤活性物質、モノ末端柔軟仕上げ剤活性物質、イオン対柔軟仕上げ剤活性物質、及びこれらの混合物からなる群から選択される。
【００１７】
一態様では、かかるジ末端柔軟仕上げ剤活性物質、モノ末端柔軟仕上げ剤活性物質及びイオン対柔軟仕上げ剤活性物質は、
ａ）次式（１）：
【００１８】
【化１】
2014532820.tif 000002
（式中、
Ｒ１及びＲ２が、それぞれ独立して、Ｃ５〜Ｃ２３炭化水素であり、
Ｒ３及びＲ４が、それぞれ独立して、Ｃ１〜Ｃ４炭化水素、Ｃ１〜Ｃ４ヒドロキシ置換炭化水素、ベンジル、−（Ｃ２Ｈ４Ｏ）ｙＨからなる群から選択され、ここでｙが１〜１０の整数であり、
Ｌが、−Ｃ（Ｏ）Ｏ−、−（ＣＨ２ＣＨ２Ｏ）ｍ−、−Ｃ（Ｏ）−、−Ｏ−（Ｏ）Ｃ−、−ＮＲ−Ｃ（Ｏ）−、−Ｃ（Ｏ）−ＮＲ−からなる群から選択され、ここでｍが１又は２であり、Ｒが水素又はメチルであり、
各ｎが、独立して０〜４の整数であり、ただし、Ｌが−Ｏ−（Ｏ）Ｃ−又は−ＮＲ−Ｃ（Ｏ）のとき、各ｎが１〜４の整数であり、
各ｚが、独立して０又は１であり、
Ｘ−が、柔軟剤相溶性アニオンである）
を有する材料、
ｂ）次式（２）：
【００１９】
【化２】
2014532820.tif 000003
（式中、
Ｒ５が、Ｃ５〜Ｃ２３炭化水素であり、
各Ｒ６が、独立して、Ｃ１〜Ｃ４炭化水素、Ｃ１〜Ｃ４ヒドロキシ置換炭化水素、ベンジル、−（Ｃ２Ｈ４Ｏ）ｙＨからなる群から選択され、ここでｙが１〜１０の整数であり、
Ｌが、−Ｃ（Ｏ）Ｏ−、−（ＯＣＨ２ＣＨ２）ｍ−−（ＣＨ２ＣＨ２Ｏ）ｍ−、−Ｃ（Ｏ）−、−Ｏ−（Ｏ）Ｃ−、−ＮＲ−Ｃ（Ｏ）−、−Ｃ（Ｏ）−ＮＲ−からなる群から選択され、ここでｍが１又は２であり、Ｒが水素又はメチルであり、
各ｎが、独立して０〜４の整数であり、ただし、Ｌが−Ｏ−（Ｏ）Ｃ−又は−ＮＲ−Ｃ（Ｏ）のとき、各ｎが１〜４の整数であり、
ｚが、０又は１であり、
Ｘ−が、柔軟剤相溶性アニオンである）
を有する物質、
ｃ）次式（３）：
【００２０】
【化３】
2014532820.tif 000004
（式中、
Ｒ５が、Ｃ５〜Ｃ２３炭化水素であり、
各Ｒ６が、独立して、Ｃ１〜Ｃ４炭化水素、Ｃ１〜Ｃ４ヒドロキシ置換炭化水素、ベンジル、−（Ｃ２Ｈ４Ｏ）ｙＨからなる群から選択され、ここでｙが１〜１０の整数であり、
Ｌが、−Ｃ（Ｏ）Ｏ−、−（ＯＣＨ２ＣＨ２）ｍ−−（ＣＨ２ＣＨ２Ｏ）ｍ−、−Ｃ（Ｏ）−、−Ｏ−（Ｏ）Ｃ−、−ＮＲ−Ｃ（Ｏ）−、−Ｃ（Ｏ）−ＮＲ−からなる群から選択され、ここでｍが１又は２であり、Ｒが水素又はメチルであり、
各ｎが、独立して０〜４の整数であり、ただし、Ｌが−Ｏ−（Ｏ）Ｃ−又は−ＮＲ−Ｃ（Ｏ）のとき、各ｎが１〜４の整数であり、
ｚが、０又は１であり、
Ｘ−が、Ｃ６〜Ｃ２４炭化水素を含むアニオン性界面活性剤である）
を有する物質、からなる群から選択される。
【００２１】
一態様では、かかるジ末端柔軟仕上げ剤活性物質、モノ末端柔軟仕上げ剤活性物質及びイオン対柔軟仕上げ剤活性物質が、
ａ）次式（１）：
【００２２】
【化４】
2014532820.tif 000005
（式中、
Ｒ１及びＲ２が、それぞれ独立して、Ｃ１１〜Ｃ１７炭化水素であり、
Ｒ３及びＲ４が、それぞれ独立して、Ｃ１〜Ｃ２炭化水素、Ｃ１〜Ｃ２ヒドロキシ置換炭化水素からなる群から選択され、
各ｎが、独立して１〜２の整数であり、
Ｌが、−Ｃ（Ｏ）Ｏ−、−Ｃ（Ｏ）−、−Ｏ−（Ｏ）Ｃ−からなる群から選択され、
各ｚが、独立して０又は１であり、
Ｘ−が、ハライド、スルホネート、サルフェート、及びニトレートからなる群から選択される柔軟剤相溶性アニオンである）
を有する物質、
ｂ）次式（２）：
【００２３】
【化５】
2014532820.tif 000006
（式中、
Ｒ５が、Ｃ１１〜Ｃ１７炭化水素であり、
各Ｒ６が、独立して、Ｃ１〜Ｃ２炭化水素、Ｃ１〜Ｃ２ヒドロキシ置換炭化水素からなる群から選択され、
ｎが、１〜４の整数であり、
Ｌが、−Ｃ（Ｏ）Ｏ−、−Ｃ（Ｏ）−、−Ｏ−（Ｏ）Ｃ−からなる群から選択され、
ｚが、０又は１であり、
Ｘ−が、ハライド、スルホネート、サルフェート、及びニトレートからなる群から選択される柔軟剤相溶性アニオンである）
を有する物質、
ｃ）次式（３）：
【００２４】
【化６】
2014532820.tif 000007
（式中、
Ｒ５が、Ｃ５〜Ｃ２３炭化水素であり、
各Ｒ６が、独立して、Ｃ１〜Ｃ４炭化水素、Ｃ１〜Ｃ４ヒドロキシ置換炭化水素、ベンジル、−（Ｃ２Ｈ４Ｏ）ｙＨからなる群から選択され、ここでｙが１〜１０の整数であり、
Ｌが、−Ｃ（Ｏ）Ｏ−、−（ＯＣＨ２ＣＨ２）ｍ−−（ＣＨ２ＣＨ２Ｏ）ｍ−、−Ｃ（Ｏ）−、−Ｏ−（Ｏ）Ｃ−、−ＮＲ−Ｃ（Ｏ）−、−Ｃ（Ｏ）−ＮＲ−からなる群から選択され、ここでｍが１又は２であり、Ｒが水素又はメチルであり、
各ｎが、独立して０〜４の整数であり、ただし、Ｌが−Ｏ−（Ｏ）Ｃ−又は−ＮＲ−Ｃ（Ｏ）のとき、各ｎが１〜４の整数であり、
ｚが、０又は１であり、
Ｘ−が、Ｃ６〜Ｃ２４炭化水素を含むアニオン性界面活性剤である）
を有する物質、からなる群から選択される。
【００２５】
一態様では、かかるジ末端柔軟仕上げ剤活性物質、モノ末端柔軟仕上げ剤活性物質及びイオン対柔軟仕上げ剤活性物質が、
ａ）次式（１）：
【００２６】
【化７】
2014532820.tif 000008
（式中、
Ｒ１及びＲ２が、それぞれ独立して、Ｃ１１〜Ｃ１７炭化水素であり、
Ｒ３及びＲ４が、それぞれ独立して、Ｃ１〜Ｃ２炭化水素、Ｃ１〜Ｃ２ヒドロキシ置換炭化水素からなる群から選択され、
各ｎが、独立して１〜２の整数であり、
Ｌが、−Ｃ（Ｏ）Ｏ−、−Ｃ（Ｏ）−、−Ｏ−（Ｏ）Ｃ−からなる群から選択され、
各ｚが、独立して０又は１であり、
Ｘ−が、クロライド、ブロマイド、メチルサルフェート、エチルサルフェート、及びメチルスルホネートからなる群から選択される柔軟剤相溶性アニオンである）
を有する物質、
ｂ）次式（２）：
【００２７】
【化８】
2014532820.tif 000009
（式中、
Ｒ５が、Ｃ１１〜Ｃ１７炭化水素であり、
各Ｒ６が、独立して、Ｃ１〜Ｃ２炭化水素、Ｃ１〜Ｃ２ヒドロキシ置換炭化水素からなる群から選択され、
ｎが、１〜４の整数であり、
Ｌが、−Ｃ（Ｏ）Ｏ−、−Ｃ（Ｏ）−、−Ｏ−（Ｏ）Ｃ−からなる群から選択され、
ｚが、０又は１であり、
Ｘ−が、クロライド、ブロマイド、メチルサルフェート、エチルサルフェート、及びメチルスルホネートからなる群から選択される柔軟剤相溶性アニオン、又はＣ６〜Ｃ１８炭化水素を含むアニオン性界面活性剤である）
を有する物質、
ｃ）次式（３）：
【００２８】
【化９】
2014532820.tif 000010
（式中、
Ｒ５が、Ｃ１１〜Ｃ１７炭化水素であり、
各Ｒ６が、独立して、Ｃ１〜Ｃ２炭化水素、Ｃ１〜Ｃ２ヒドロキシ置換炭化水素からなる群から選択され、
ｎが、１〜４の整数であり、
Ｌが、−Ｃ（Ｏ）Ｏ−、−Ｃ（Ｏ）−、−Ｏ−（Ｏ）Ｃ−からなる群から選択され、
ｚが、０又は１であり、
Ｘ−が、クロライド、ブロマイド、メチルサルフェート、エチルサルフェート、及びメチルスルホネートからなる群から選択される柔軟剤相溶性アニオン、又はＣ６〜Ｃ１８炭化水素を含むアニオン性界面活性剤である）
を有する物質、
からなる群から選択される。
【００２９】
一態様では、式２において、Ｘ−が、アニオン性界面活性剤であるＣ６〜Ｃ２４炭化水素である。
【００３０】
一態様では、かかるアニオン性界面活性剤が、Ｃ６〜Ｃ２４アルキルベンゼンスルホネート界面活性剤、Ｃ６〜Ｃ２４分枝鎖及びランダムアルキルサルフェート界面活性剤、１〜３０の平均アルコキシル化度を有するＣ６〜Ｃ２４アルキルアルコキシサルフェート界面活性剤（このときアルコキシ部分が、Ｃ２〜Ｃ４鎖を含む）、中鎖分枝状アルキルサルフェート界面活性剤、１〜３０の平均アルコキシル化度を有する中鎖分枝状アルキルアルコキシサルフェート界面活性剤（このときアルコキシ部分が、Ｃ２〜Ｃ４鎖を含む）、１〜５の平均アルコキシル化度を含むＣ６〜Ｃ２４アルキルアルコキシカルボキシレート、Ｃ６〜Ｃ２４メチルエステルスルホネート界面活性剤、Ｃ１０〜Ｃ２４  α−オレフィンスルホネート界面活性剤、Ｃ６〜Ｃ２４スルホスクシネート界面活性剤、並びにこれらの混合物からなる群から選択される。
【００３１】
一態様では、かかる疎水変性カチオン性ポリマーが、１０，０００〜１０，０００，０００ダルトンの範囲の重量平均分子量を有し、かかる疎水変性カチオン性ポリマーが、フラノース残基、ピラノース残基、及びこれらのいずれかの混合物からなる群から選択されるモノマー単位を含み、複数のかかるモノマー単位が、カチオン性、疎水性、又はカチオン性かつ疎水性である置換基を含み、かかる置換基の最大数はモノマーあたり３であり、かかる置換基によって骨格にもたらされる全カチオン性置換度が、０．０１〜０．２の範囲であり、かかる置換基によって骨格にもたらされる全疎水性置換度が、０．００１〜１．０の範囲である。
【００３２】
一態様では、かかる疎水変性カチオン性ポリマーがピラノース残基を含み、少なくとも１つのピラノース残基が、置換及び非置換グルコピラノース残基である。
【００３３】
一態様では、少なくとも１つのかかる置換基が次式：
【００３４】
【化１０】
2014532820.tif 000011
（式中、
各Ｒ４が、独立して、Ｈ、ＣＨ３、及び直鎖又は分枝鎖、飽和又は不飽和Ｃ２〜Ｃ１８アルキルからなる群から選択される置換基であり、ただし、少なくとも２つのＲ４基の炭素数の合計が２４を超えず、
Ｒ５が、直鎖若しくは分枝鎖、飽和若しくは不飽和Ｃ２〜Ｃ１８アルキル、又は直鎖若しくは分枝鎖、飽和若しくは不飽和二級ヒドロキシ（Ｃ２〜Ｃ１８）アルキルであり、
Ｌが、−Ｏ−、−Ｃ（Ｏ）Ｏ−、−ＮＲ９、−Ｃ（Ｏ）ＮＲ９−、及び−ＮＲ９Ｃ（Ｏ）ＮＲ９−からなる群から選択される連結基であり、Ｒ９がＨ又はＣ１〜Ｃ６アルキルであり、
ｗが、０又は１の値を有し、
ｙが、０又は１の値を有し、
ｚが、０又は１の値を有する）
を有する。
【００３５】
一態様では、少なくとも１つのかかる置換基が、次の式ＩＶ：
【００３６】
【化１１】
2014532820.tif 000012
（式中、
ｄが、０又は１の値を有し、
ｅが、０又は１の値を有し、
ｆが、０〜８の整数であり、
ｇが、０〜５０の整数であり、
各Ｒ７が、独立して、エチレン、プロピレン、ブチレン、又はこれらの混合物の群から選択され、
Ｒ８が、水素、Ｃ１〜Ｃ２０アルキル、ヒドロキシ、−ＯＲ１０からなる群から選択される末端基であり、このときＲ１０がメチルである）
を有する。
【００３７】
一態様では、疎水変性カチオン性ポリマーが、少なくとも、式Ｉに示す構造、及び１０，０００〜１，０００，０００ダルトンの範囲の重量平均分子量を有する第１ランダム置換ポリサッカライドと、式Ｉに示す構造、及び１，０００，０００〜１０，０００，０００ダルトンの範囲の重量平均分子量を有する第２ランダム置換ポリサッカライドとのブレンドを含む。
【００３８】
一態様では、ランダム置換ポリサッカライド骨格が、式ＩＢ：
【００３９】
【化１２】
2014532820.tif 000013
に示す一般構造を有するランダム置換デンプン骨格である。
【００４０】
一態様では、ランダム置換デンプン骨格が、トウモロコシデンプン、小麦デンプン、米デンプン、ワクシートウモロコシデンプン、オート麦デンプン、キャッサバデンプン、ワクシーオオムギデンプン、ワクシー米デンプン、グルテナス米デンプン、スイート米デンプン、じゃがいもデンプン、タピオカデンプン、サゴデンプン、高アミロースデンプン、又はこれらの混合物から選択されるデンプン由来である。
【００４１】
一態様では、ランダム置換デンプン骨格が、約３０重量％〜約９０重量％のアミロース含量を有する高アミロースデンプン由来である。
【００４２】
一態様では、ランダム置換デンプン骨格が、少なくとも１つのα（１→６）ポリグルコピラノース分岐を更に含むランダム置換アミロペクチン骨格であり、このポリグルコピラノース分岐が、非置換及び置換グルコピラノース残基を含む。
【００４３】
一態様では、ポリサッカライド骨格が、非置換又は置換キシロース残基、非置換又は置換マンノース残基、非置換又は置換ガラクトース残基、非置換又は置換ラムノース残基、非置換又は置換アラビノース残基、及びこれらの組み合わせからなる群から選択される、少なくとも１つの非置換又は置換炭水化物残基を更に含む、ランダム置換ヘミセルロース骨格である。
【００４４】
一態様では、置換炭水化物残基が、少なくとも１つのＲ１置換基又はＲ２置換基を含み、任意に１つ以上のＲ３置換基を含んでよい。
【００４５】
一態様では、かかる疎水変性カチオン性ポリマーが、非置換及び置換グルコピラノース残基を含み、式Ｉ：
【００４６】
【化１３】
2014532820.tif 000014
に示す一般構造を有するランダム置換ポリサッカライド骨格を含み、（式中、各置換グルコピラノース残基が、独立して、各置換グルコピラノース残基上で同一であるか又は異なってもよい、１〜３個のＲ置換基を含み、
各Ｒ置換基が、独立して、ヒドロキシル、ヒドロキシメチル、Ｒ１、Ｒ２、Ｒ３、及び式Ｉに示す一般構造を有するポリサッカライド分岐；又はヒドロキシル、ヒドロキシメチル、Ｒ１、Ｒ２、及び式Ｉに示す一般構造を有するポリサッカライド分岐から選択される置換基であり、ただし、少なくとも１つのＲ置換基が、少なくとも１つのＲ１及び少なくとも１つのＲ２を含み、
各Ｒ１が、独立して、同一であるか又は異なり、第１置換基が、０．０１〜０．２の範囲の置換度及び式ＩＩ：
【００４７】
【化１４】
2014532820.tif 000015
に示す置換基を有し、各Ｒ４が、Ｈ、ＣＨ３、直鎖又は分枝鎖、飽和又は不飽和Ｃ２〜Ｃ１８アルキルからなる群から選択される置換基であり、ただし、少なくとも２つのＲ４基の炭素数の合計が、２４を超えず、Ｒ５が、直鎖若しくは分枝鎖、飽和若しくは不飽和Ｃ２〜Ｃ１８アルキル、又は直鎖若しくは分枝鎖、飽和若しくは不飽和二級ヒドロキシ（Ｃ２〜Ｃ１８）アルキルであり、Ｌが、−Ｏ−、−Ｃ（Ｏ）Ｏ−、−ＮＲ９−、−Ｃ（Ｏ）ＮＲ９−、及び−ＮＲ９Ｃ（Ｏ）ＮＲ９−からなる群から選択される連結基であり、Ｒ９が、Ｈ又はＣ１〜Ｃ６アルキルであり、ｗが、０又は１の値を有し、ｙが、０又は１の値を有し、ｚが、０又は１の値を有し、
各Ｒ２が、独立して、同一であるか又は異なり、第２置換基が、０．００１〜０．５の範囲の置換度及び式ＩＩＩに示す構造を有し、
【００４８】
【化１５】
2014532820.tif 000016
Ｒ６が、カルボキシレート、カルボキシメチル、スクシネート、サルフェート、スルホネート、アリールスルホネート、ホスフェート、ホスホネート、ジカルボキシレート、及びポリカルボキシレートからなる群から選択されるアニオン性置換基であり、ａが、０又は１の値を有し、ｂが、０〜１８の整数であり、ｃが、０又は１の値を有し、
各Ｒ３が、独立して、同一であるか又は異なり、０又は０．００１〜１．０の範囲の置換度及び式ＩＶ：
【００４９】
【化１６】
2014532820.tif 000017
に示す構造を有する第３の置換基を有し、ｄが、０又は１の値を有し、ｅが、０又は１の値を有し、ｆが、０〜８の整数であり、ｇが、０〜５０の整数であり、各Ｒ７が、エチレン、プロピレン、ブチレン、又はこれらの混合物の基であり、Ｒ８が水素、Ｃ１〜Ｃ２０アルキル、ヒドロキシ、−ＯＲ１及び−ＯＲ２からなる群から選択される末端基であり、
疎水変性カチオン性バイオポリマーが、１０，０００〜１０，０００，０００ダルトンの範囲の重量平均分子量を有する。）
【００５０】
一態様では、（ＯＲ７）が、構造−Ｏ−ＣＨ（Ｒ１０）ＣＨ２−を有し、Ｒ１０がメチル又はエチルである。
【００５１】
一態様では、疎水変性カチオン性ポリマーが、少なくとも、式Ｉに示す構造、及び１０，０００〜１，０００，０００ダルトンの範囲の重量平均分子量を有する第１ランダム置換ポリサッカライドと、式Ｉに示す構造、及び１，０００，０００〜１０，０００，０００ダルトンの範囲の重量平均分子量を有する第２ランダム置換ポリサッカライドとのブレンドを含む。
【００５２】
一態様では、ランダム置換ポリサッカライド骨格が、式ＩＢに示す一般構造を有するランダム置換デンプン骨格である。
【００５３】
【化１７】
2014532820.tif 000018
【００５４】
一態様では、ランダム置換デンプン骨格が、トウモロコシデンプン、小麦デンプン、米デンプン、ワクシートウモロコシデンプン、オート麦デンプン、キャッサバデンプン、ワクシーオオムギデンプン、ワクシー米デンプン、グルテナス米デンプン、スイート米デンプン、じゃがいもデンプン、タピオカデンプン、サゴデンプン、高アミロースデンプン、又はこれらのいずれかの混合物から選択されるデンプン由来である。
【００５５】
一態様では、ランダム置換デンプン骨格が、約３０重量％〜約９０重量％のアミロース含量を有する高アミロースデンプン由来である。
【００５６】
一態様では、ランダム置換デンプン骨格が、少なくとも１つのα（１→６）ポリグルコピラノース分岐を更に含むランダム置換アミロペクチン骨格であり、このポリグルコピラノース分岐が、非置換及び置換グルコピラノース残基を含む。
【００５７】
一態様では、ポリサッカライド骨格が、非置換又は置換キシロース残基、非置換又は置換マンノース残基、非置換又は置換ガラクトース残基、非置換又は置換ラムノース残基、非置換又は置換アラビノース残基、及びこれらのいずれかの組み合わせからなる群から選択される少なくとも１つの非置換又は置換炭水化物残基を更に含むランダム置換ヘミセルロース骨格であり、置換炭水化物残基が、少なくとも１つのＲ１置換基又はＲ２置換基を含み、任意に１つ以上のＲ３置換基を含んでよい。
【００５８】
一態様では、かかる疎水変性カチオン性ポリマーが、非置換及び置換グルコピラノース残基、及び式Ｉに示す一般構造を有するランダム置換ポリサッカライド骨格を含み、
【００５９】
【化１８】
2014532820.tif 000019
（式中、各置換グルコピラノース残基が、独立して、各置換グルコピラノース残基上で同一であるか又は異なってもよい、１〜３個のＲ置換基を含み、
式中、各Ｒ置換基が、独立して、ヒドロキシル、ヒドロキシメチル、Ｒ１、Ｒ２、Ｒ３、及び式Ｉに示す一般構造を有するポリサッカライド分岐；又はヒドロキシル、ヒドロキシメチル、Ｒ１、Ｒ２、及び式Ｉに示す一般構造を有するポリサッカライド分岐から選択される置換基であり、ただし、少なくとも１つのＲ置換基が、少なくとも１つのＲ１及び少なくとも１つのＲ２を含み、
式中、各Ｒ１が、独立して、同一であるか又は異なり、第１置換基が、０．０１〜０．２の範囲の置換度及び式ＩＩに示す構造を有し、
【００６０】
【化１９】
2014532820.tif 000020
式中、各Ｒ４が、Ｈ、ＣＨ３、直鎖又は分枝鎖、飽和又は不飽和Ｃ２〜Ｃ１８アルキルからなる群から選択される置換基であり、ただし、少なくとも２つのＲ４基の炭素数の合計が２４を超えず、Ｒ５が、直鎖若しくは分枝鎖、飽和若しくは不飽和Ｃ２〜Ｃ１８アルキル、又は直鎖若しくは分枝鎖、飽和若しくは不飽和二級ヒドロキシ（Ｃ２〜Ｃ１８）アルキルであり、Ｌが、−Ｏ−、−Ｃ（Ｏ）Ｏ−、−ＮＲ９−、−Ｃ（Ｏ）ＮＲ９−、及び−ＮＲ９Ｃ（Ｏ）ＮＲ９−からなる群から選択される連結基であり、Ｒ９がＨ又はＣ１〜Ｃ６アルキルであり、ｗが、０又は１の値を有し、ｙが、０又は１の値を有し、ｚが、０又は１の値を有し、
各Ｒ２が、独立して、同一であるか又は異なり、第２置換基が、０．００１〜０．５の範囲の置換度及び式ＩＩＩに示す構造を有し、
【００６１】
【化２０】
2014532820.tif 000021
式中、Ｒ６が、カルボキシレート、カルボキシメチル、スクシネート、サルフェート、スルホネート、アリールスルホネート、ホスフェート、ホスホネート、ジカルボキシレート、及びポリカルボキシレートからなる群から選択されるアニオン性置換基であり、ａが、０又は１の値を有し、ｂが、０〜１８の整数であり、ｃが、０又は１の値を有し、
各Ｒ３が、独立して、同一であるか又は異なり、０又は０．００１〜１．０の範囲の置換度及び式ＩＶ：
【００６２】
【化２１】
2014532820.tif 000022
に示す構造を有する第３の置換基を有し、式中、ｄが、０又は１の値を有し、ｅが、０又は１の値を有し、ｆが、０〜８の整数であり、ｇが、０〜５０の整数であり、各Ｒ７が、エチレン、プロピレン、ブチレン、又はこれらの混合物の基であり、Ｒ８が、水素、Ｃ１〜Ｃ２０アルキル、ヒドロキシ、−ＯＲ１及び−ＯＲ２からなる群から選択される末端基であり、
このとき疎水変性カチオン性バイオポリマーが、１０，０００〜１０，０００，０００ダルトンの範囲の重量平均分子量を有する。一態様では、（ＯＲ７）が、構造−Ｏ−ＣＨ（Ｒ１０）ＣＨ２−を有し、Ｒ１０がメチル又はエチルである。）
【００６３】
一態様では、疎水変性カチオン性ポリマーが、少なくとも、式Ｉに示す構造、及び１０，０００〜１，０００，０００ダルトンの範囲の重量平均分子量を有する第１ランダム置換ポリサッカライドと、式Ｉに示す構造、及び１，０００，０００〜１０，０００，０００ダルトンの範囲の重量平均分子量を有する第２ランダム置換ポリサッカライドとのブレンドを含む。
【００６４】
一態様では、ランダム置換ポリサッカライド骨格が、式ＩＢに示す一般構造を有するランダム置換デンプン骨格である。
【００６５】
【化２２】
2014532820.tif 000023
【００６６】
一態様では、ランダム置換デンプン骨格が、トウモロコシデンプン、小麦デンプン、米デンプン、ワクシートウモロコシデンプン、オート麦デンプン、キャッサバデンプン、ワクシーオオムギデンプン、ワクシー米デンプン、グルテナス米デンプン、スイート米デンプン、じゃがいもデンプン、タピオカデンプン、サゴデンプン、高アミロースデンプン、又はこれらのいずれかの混合物から選択されるデンプン由来である。
【００６７】
一態様では、ランダム置換デンプン骨格が、約３０重量％〜約９０重量％のアミロース含量を有する高アミロースデンプン由来である。
【００６８】
一態様では、ランダム置換デンプン骨格が、少なくとも１つのα（１→６）ポリグルコピラノース分岐を含むランダム置換アミロペクチン骨格であり、このポリグルコピラノース分岐が、非置換及び置換グルコピラノース残基を含む。
【００６９】
一態様では、ポリサッカライド骨格が、非置換又は置換キシロース残基、非置換又は置換マンノース残基、非置換又は置換ガラクトース残基、非置換又は置換ラムノース残基、非置換又は置換アラビノース残基、及びこれらのいずれかの組み合わせからなる群から選択される少なくとも１つの非置換又は置換炭水化物残基を更に含むランダム置換ヘミセルロース骨格であり、置換炭水化物残基が、少なくとも１つのＲ１置換基又はＲ２置換基を含み、任意に１つ以上のＲ３置換基を含んでよい。
【００７０】
本明細書で開示されるような好適な疎水変性カチオン性ポリマーが、本明細書の教示に従って作製でき、又はＮａｔｉｏｎａｌ  Ｓｔａｒｃｈ（Ｂｒｉｄｇｅｗａｔｅｒ，ＮＪ）から購入できる。
【００７１】
一態様では、本発明の組成物で使用される柔軟仕上げ剤活性物質が、約７０〜約１４０であるヨウ素価（本明細書では「ＩＶ」と称される）を有してよい。好適な一実施形態では、ＩＶが約０〜約７０の範囲である。一態様では、柔軟仕上げ剤活性物質が、ＩＶが約０〜約４０の範囲の脂肪酸前駆体で作られる。別の態様では、本発明の組成物は、少なくとも約４０〜約７０の範囲のＩＶを備えてよい。
【００７２】
一態様では、本明細書で開示される組成物は、少なくとも６週間、約２４ヶ月〜約１ヶ月、約２２ヶ月〜約２ヶ月、約２０ヶ月〜約４ヶ月、又は更には約１８ヶ月〜約６ヶ月において、安定性（目視で分離がない）を有する。
【００７３】
一態様では、かかる柔軟仕上げ剤活性物質（ＦＳＡ）が、２種以上のＦＳＡの混合物であってよい。
【００７４】
一態様では、本明細書で開示される組成物は、組成物の総重量に基づいて、少なくとも約１％、少なくとも約２％、少なくとも約３％、少なくとも約５％、少なくとも約１０％、及び少なくとも約１２％、並びに約９０％未満、約４０％未満、約３０％未満、約２０％未満、約１８％未満、約１５％未満のＦＳＡ又はＦＳＡの混合物を含んでよい。
【００７５】
一態様では、本明細書で開示される組成物は、粉末／顆粒、バー、錠剤、フォーム、フレーク、液体、分散性基材、あるいは乾燥機に加える柔軟仕上げ剤シート上のコーティングとしての形態であり得る。
【００７６】
一態様では、本明細書で開示される組成物は、液体布地改良剤であってよい。
【００７７】
一態様では、液体布地改良剤組成物は更に、ｐＨ変性剤を適切な量で含み、布地改良剤組成物は、約６を下回る、あるいは約２〜約５、あるいは２．５〜４の範囲を有する、酸性になる。好適な濃度のｐＨ変性剤が、布地改良剤組成物の約０重量％〜約４重量％、あるいは約０．０１重量％〜約２重量％である。好適なｐＨ変性剤は、塩化水素、クエン酸、その他有機又は無機酸、及びこれらの混合物を含む。
【００７８】
一態様では、本明細書で開示される組成物は、追加添加物からなる群から選択される１つ以上の活性物質を含む。
【００７９】
一態様では、本明細書で開示される組成物は、シリコーン、香料及び／又は香料マイクロカプセルなどの有益剤送達系からなる群から選択される１つ以上の追加添加物を含み得る液体布地改良剤であってよい。
【００８０】
追加添加物
当業者が、追加添加物が任意であるが、多くの場合、本明細書に開示される種類の組成物、例えば液体布地改良剤で使用されると認識するだろう。したがって、このような組成物は、追加の柔軟剤活性物質、シリコーン化合物、構造化剤、付着助剤、香料、有益剤送達系、分散剤、安定剤、ｐＨ調整剤、着色剤、増白剤、染料、臭気抑制剤、溶媒、汚れ放出ポリマー、防腐剤、抗微生物剤、塩素スカベンジャー、収縮防止剤、布地クリスピング剤、スポッティング剤、酸化防止剤、腐食防止剤、増粘剤、ドレープ及びフォーム調整剤、平滑剤、静電気抑制剤、しわ抑制剤、殺菌剤、消毒剤、細菌抑制剤、白カビ抑制剤、カビ抑制剤、抗ウィルス剤、抗微生物剤、乾燥剤、耐汚染剤、汚れ放出ポリマー剤、悪臭抑制剤、布地リフレッシュ剤、塩素漂白臭気抑制剤、染料固定剤、染料移染阻害剤、色保持剤、色復元／再生剤、抗退色剤、白色増強剤、抗磨耗剤、耐磨耗剤、布地一体化剤、摩耗防止剤、抑泡剤及び消泡剤、すすぎ助剤、ＵＶ保護剤、日褪せ阻害剤、防虫剤、抗アレルギー剤、酵素、難燃剤、防水剤、布地快適剤、活水剤、耐収縮剤、耐伸剤、増粘剤、キレート剤、電解質、及びこれらの混合物を含む群から選択される、成分を含む追加添加物を含んでよい。このような添加物が既知であり、必要に応じて本処方物に含むことができる。一態様では、布地改良剤は、任意の上記添加物を含まないか、又は実質的に含まない。
【００８１】
本発明で使用するのに好適な電解質として、カリウム、ナトリウム、カルシウム、マグネシウム由来のものなどのアルカリ金属及びアルカリ土類金属塩が挙げられる。
【００８２】
シリコーン−好適なシリコーンは、Ｓｉ−Ｏ部分を含み、（ａ）非官能化シロキサンポリマー、（ｂ）官能化シロキサンポリマー、及びこれらの組み合わせから選択することができる。有機シリコーンの分子量が、通常、物質の粘度を参照することにより示される。一態様において、有機シリコーンは、２５℃で約１Ｅ−５〜約２ｍ２／ｓ（約１０〜約２，０００，０００センチストークス）の粘度を有し得る。別の態様では、好適な有機シリコーンは、２５℃で約１Ｅ−５〜約０．８ｍ２／ｓ（約１０〜約８００，０００センチストークス）の粘度を有し得る。
【００８３】
好適な有機シリコーンは、直鎖、分岐鎖、又は架橋であってもよい。一態様において、有機シリコーンはシリコーン樹脂を含むことができる。シリコーン樹脂が、高度に架橋したポリマーシロキサン系である。架橋が、シリコーン樹脂の製造中に三官能性及び四官能性シランを一官能性又は二官能性又はその両方のシランと共に組み込むことによって導入される。
【００８４】
特にシリコーン物質及びシリコーン樹脂が、「ＭＤＴＱ」命名法として当業者に既知の省略命名法のシステムによって便利に同定することができる。このシステム下では、シリコーンは、シリコーンを構成する種々のシロキサンモノマー単位の存在によって記載される。つまり、記号Ｍが一官能性単位（ＣＨ３）３ＳｉＯ０．５を示し、Ｄが二官能性単位（ＣＨ３）２ＳｉＯを示し、Ｔが三官能性単位（ＣＨ３）ＳｉＯ１．５を示し、Ｑが四官能性単位ＳｉＯ２を示す。単位記号のプライム符号（例えばＭ’、Ｄ’、Ｔ’、及びＱ’）が、メチル以外の置換基を表し、出てくる度に具体的に定義されなければならない。
【００８５】
一態様において、本発明の組成物に用いるシリコーン樹脂としては、ＭＱ、ＭＴ、ＭＴＱ、ＭＤＴ及びＭＤＴＱ樹脂が挙げられるが、これらに限定されない。一態様において、メチルが、極めて好適なシリコーン置換基である。別の態様では、シリコーン樹脂が、典型的にはＭＱ樹脂であり、その場合、Ｍ：Ｑ比が、典型的には約０．５：１．０〜約１．５：１．０であり、シリコーン樹脂の平均分子量が、典型的には約１０００〜約１０，００である。
【００８６】
他の変性シリコーン又はシリコーンコポリマーも本明細書で有用である。これらの例としては、米国特許第６，６０７，７１７号及び同第６，４８２，９６９号に開示されているシリコーン系第四級アンモニウム化合物（ケナン第四級化合物（Kennan quats））；末端第四級シロキサン；米国特許第５，８０７，９５６号及び同第５，９８１，６８１号に開示されているシリコーンアミノポリアルキレンオキシドブロックコポリマー；米国特許第６，２０７，７８２号に開示されている親水性シリコーンエマルション；米国特許第７，４６５，４３９号に開示されている１つ以上の架橋した熊手又は櫛型シリコーンコポリマーセグメントから構成されるポリマーが挙げられる。本明細書において有用な更なる変性シリコーン又はシリコーンコポリマーが、米国特許出願公開第２００７／０２８６８３７（Ａ１）号及び同第２００５／００４８５４９（Ａ１）号に記載されている。
【００８７】
本発明の代替実施形態において、上で述べられたシリコーン系第四級アンモニウム化合物が、米国特許第７，０４１，７６７号及び米国特許第７，２１７，７７７号並びに米国特許出願公開第２００７／００４１９２９（Ａ１）号に記載されているシリコーンポリマーと組み合わされてもよい。
【００８８】
一態様では、オルガノシリコーンは、以下の式（ＸＸＩＶ）を有し得る非官能化シロキサンポリマーを含んでもよく、ポリアルキル及び／又はフェニルシリコーン流体、樹脂並びに／あるいはゴムを含んでもよい。
［Ｒ１Ｒ２Ｒ３ＳｉＯ１／２］ｎ［Ｒ４Ｒ４ＳｉＯ２／２］ｍ［Ｒ４ＳｉＯ３／２］ｊ
式（ＸＸＩＶ）
式中、
ｉ）各Ｒ１、Ｒ２、Ｒ３及びＲ４が、独立して、Ｈ、−ＯＨ、Ｃ１〜Ｃ２０アルキル、Ｃ１〜Ｃ２０置換アルキル、Ｃ６〜Ｃ２０アリール、Ｃ６〜Ｃ２０置換アリール、アルキルアリール、及び／又はＣ１〜Ｃ２０アルコキシ、部分から成る群から選択されてもよく、
ｉｉ）ｎが、ｎ＝ｊ＋２となるように約２〜約１０、若しくは約２〜約６の整数；又は２であってもよく、
ｉｉｉ）ｍが、約５〜約８，０００、約７〜約８，０００又は約１５〜約４，０００の整数であってもよく、
ｉｖ）ｊが、約０〜約１０又は約０〜約４の整数、又は０であってもよい。
【００８９】
１つの態様では、Ｒ２、Ｒ３及びＲ４が、メチル、エチル、プロピル、Ｃ４〜Ｃ２０アルキル、及び／又はＣ６〜Ｃ２０アリール部分を含んでもよい。１つの態様では、Ｒ２、Ｒ３及びＲ４が、それぞれメチルであってもよい。シリコーン鎖の末端をブロックする各Ｒ１部分が、水素、メチル、メトキシ、エトキシ、ヒドロキシ、プロポキシ、及び／又はアリールオキシから成る群から選択される部分を含んでもよい。
【００９０】
本明細書で使用するとき、用語ＳｉＯ「ｎ」／２は、酸素原子とケイ素原子との比を表す。例えば、ＳｉＯ１／２は、１つの酸素が２つのＳｉ原子間で共有されていることを意味する。同様に、ＳｉＯ２／２は、２つの酸素原子が２つのＳｉ原子間で共有されていることを意味し、ＳｉＯ３／２は、３つの酸素原子が２つのＳｉ原子間で共有されることを意味する。
【００９１】
１つの態様では、有機シリコーンは、ポリジメチルシロキサン、ジメチコン、ジメチコノール、ジメチコンクロスポリマー、フェニルトリメチコン、アルキルジメチコン、ラウリルジメチコン、ステアリルジメチコン、及びフェニルジメチコンであってもよい。例としては、Ｄｏｗ  Ｃｏｒｎｉｎｇ（登録商標）Ｃｏｒｐｏｒａｔｉｏｎ（Ｍｉｄｌａｎｄ，ＭＩ）から入手可能な、ＤＣ  ２００  Ｆｌｕｉｄ、ＤＣ  １６６４、ＤＣ  ３４９、ＤＣ  ３４６Ｇという商品名で入手可能なもの、並びにＭｏｍｅｎｔｉｖｅ  Ｓｉｌｉｃｏｎｅｓ（Ｗａｔｅｒｆｏｒｄ，ＮＹ）から入手可能な、ＳＦ１２０２、ＳＦ１２０４、ＳＦ９６、及びＶｉｓｃａｓｉｌ（登録商標）という商品名で入手可能なものが挙げられる。
【００９２】
１つの態様では、有機シリコーンは、環状シリコーンを含んでもよい。環状シリコーンは、式［（ＣＨ３）２ＳｉＯ］ｎ（ｎが、約３〜約７、又は約５〜約６の範囲であってもよい整数である）のシクロメチコンを含んでもよい。
【００９３】
１つの態様では、有機シリコーンは、官能化シロキサンポリマーを含んでもよい。官能化シロキサンポリマーが、アミノ、アミド、アルコキシ、ヒドロキシ、ポリエーテル、カルボキシ、ヒドリド、メルカプト、サルフェート、ホスフェート、及び／又は第四級アンモニウム部分から成る群から選択される１つ以上の官能化部分を含んでもよい。これらの部分が、二価アルキレンラジカルを通してシロキサン骨格鎖に直接結合してもよく（即ち、「ペンダント」）、骨格鎖の一部であってもよい。好適な官能化シロキサンポリマーとしては、アミノシリコーン、アミドシリコーン、シリコーンポリエーテル、シリコーン−ウレタンポリマー、第四級ＡＢｎシリコーン、アミノＡＢｎシリコーン、及びこれらの組み合わせから成る群から選択される物質が挙げられる。
【００９４】
１つの態様では、官能化シロキサンポリマーが、「ジメチコンコポリオール」とも呼ばれるシリコーンポリエーテルを含んでもよい。一般に、シリコーンポリエーテルは、１本以上のポリオキシアルキレン鎖を有するポリジメチルシロキサン骨格鎖を含む。ポリオキシアルキレン部分を、ペンダント鎖として、又は末端ブロックとしてポリマーに組み込んでもよい。かかるシリコーンは、米国特許出願公開第２００５／００９８７５９号、米国特許第４，８１８，４２１号、及び同第３，２９９，１１２号に記載されている。例示的な市販のシリコーンポリエーテルとしては、ＤＣ  １９０、ＤＣ  １９３、ＦＦ４００が挙げられ、それらの全てが、Ｄｏｗ  Ｃｏｒｎｉｎｇ（登録商標）Ｃｏｒｐｏｒａｔｉｏｎから入手可能であり、様々なＳｉｌｗｅｔ（登録商標）界面活性剤が、Ｍｏｍｅｎｔｉｖｅ  Ｓｉｌｉｃｏｎｅｓから入手可能である。
【００９５】
別の態様では、官能化シロキサンポリマーが、アミノシリコーンを含んでもよい。好適なアミノシリコーンは、米国特許第７，３３５，６３０  Ｂ２号、同第４，９１１，８５２号、及び米国特許出願公開第２００５／０１７０９９４Ａ１号に記載されている。１つの態様では、アミノシリコーンは、米国特許出願第６１／２２１，６３２号に記載されているものであってもよい。
【００９６】
別の態様では、アミノシリコーンは、式（ＸＸＶ）の構造を含み得る：
［Ｒ１Ｒ２Ｒ３ＳｉＯ１／２］ｎ［（Ｒ４Ｓｉ（Ｘ−Ｚ）Ｏ２／２］ｋ［Ｒ４Ｒ４ＳｉＯ２／２］ｍ［Ｒ４ＳｉＯ３／２］ｊ
式（ＸＸＶ）
式中、
ｉ．各Ｒ１、Ｒ２、Ｒ３及びＲ４が、独立して、Ｈ、−ＯＨ、Ｃ１〜Ｃ２０アルキル、Ｃ１〜Ｃ２０置換アルキル、Ｃ６〜Ｃ２０アリール、Ｃ６〜Ｃ２０置換アリール、アルキルアリール、及び／又はＣ１〜Ｃ２０アルコキシから選択されてもよく、
ｉｉ．各Ｘが、独立して、２〜１２個の炭素原子を含む二価アルキレンラジカル、−（ＣＨ２）ｓ−（式中、ｓが約２〜約１０の整数）、−ＣＨ２−ＣＨ（ＯＨ）−ＣＨ２−、及び／又は
【００９７】
【化２３】
2014532820.tif 000024
から選択されてもよく、
ｉｉｉ．各Ｚが、独立して、−Ｎ（Ｒ５）２；
【００９８】
【化２４】
2014532820.tif 000025
（式中、各Ｒ５が、独立して、Ｈ、Ｃ１〜Ｃ２０アルキルから選択されてもよく；Ａ−が適合性アニオンであってもよい）から選択される。１つの態様では、Ａ−がハロゲン化物であってもよく、
ｉｖ．ｋが約３〜約２０、又は約５〜約１８超、又は更には約５〜約１０の整数であってもよく、
ｖ．ｍが、約１００〜約２，０００又は約１５０〜約１，０００の整数であってもよく、
ｖｉ．ｎが、ｎ＝ｊ＋２になるように、約２〜約１０若しくは約２〜約６の整数、又は２であってもよく、
ｖｉｉ．ｊが、約０〜約１０、若しくは約０〜約４の整数、又は０であってもよい。
【００９９】
１つの態様では、Ｒ１が−ＯＨを含んでもよい。この態様では、オルガノシリコーンはアミドメチコーンである。
【０１００】
例示的な市販のアミノシリコーンとしては、Ｄｏｗ  Ｃｏｒｎｉｎｇ（登録商標）Ｃｏｒｐｏｒａｔｉｏｎから入手可能なＤＣ  ８８２２、２−８１７７、及びＤＣ−９４９、並びにＳｈｉｎ−Ｅｔｓｕ  Ｓｉｌｉｃｏｎｅｓ（Ａｋｒｏｎ，ＯＨ）から入手可能なＫＦ−８７３が挙げられる。
【０１０１】
１つの態様では、有機シリコーンは、アミンＡＢｎシリコーン、及び第四級ＡＢｎシリコーンを含んでもよい。かかる有機シリコーンは、一般に、ジアミンとエポキシドとの反応によって生成される。これらは、例えば、米国特許第６，９０３，０６１  Ｂ２号、同第５，９８１，６８１号、同第５，８０７，９５６号、同第６，９０３，０６１号、及び同第７，２７３，８３７号に記載されている。これらは、商品名Ｍａｇｎａｓｏｆｔ（登録商標）Ｐｒｉｍｅ、Ｍａｇｎａｓｏｆｔ（登録商標）ＪＳＳ、Ｓｉｌｓｏｆｔ（登録商標）Ａ−８５８（全てＭｏｍｅｎｔｉｖｅ  Ｓｉｌｉｃｏｎｅｓ製）として市販されている。
【０１０２】
別の態様では、官能化シロキサンポリマーが、米国特許出願第６１／１７０，１５０号に記載されているようなシリコーン−ウレタンを含んでもよい。これらは、商品名ＳＬＭ−２１２００（登録商標）としてＷａｃｋｅｒ  Ｓｉｌｉｃｏｎｅｓから市販されている。
【０１０３】
オルガノシリコーンの試料が分析されるとき、かかる試料が、平均して、上記の式（ＸＸＩＶ）及び（ＸＸＶ）で非整数の指数を有し得るが、かかる平均指数値が、上記の式（ＸＸＩＶ）及び（ＸＸＶ）の指数の範囲内であることを当業者が理解する。
【０１０４】
本明細書で開示される組成物の一態様では、香料及び／又は有益剤送達系を含む。本明細書で使用するとき、用語「香料」は、後に水性浴及び／又はそれと接触する布地に放出される任意の発香性材料を示すために用いられる。好適な有益剤送達系、有益剤送達系の製造方法、及び有益剤送達系の使用は、米国特許出願第２００７／０２７５８６６（Ａ１）号に開示されている。かかる有益剤送達系としては、次のＩ〜ＶＩＩＩが挙げられる。
【０１０５】
Ｉ．ポリマー支援型送達（ＰＡＤ）：この有益剤送達技術は、有益剤（例えば、香料）を送達するためにポリマー性材料を使用する。ＰＡＤの例としては、古典的なコアセルベーション、水溶性又は部分水溶性〜不溶性の荷電又は中性ポリマー、液晶、ホットメルト、ヒドロゲル、香料付与プラスチック、マイクロカプセル、ナノラテックス及びマイクロラテックス、ポリマー性フィルム形成剤、及びポリマー性吸収剤、ポリマー性吸着剤等の使用が挙げられる。更に、ＰＡＤとして以下のものが挙げられるが、これらに限定されない。
ａ．）マトリックス系：有益剤をポリマーマトリックス又は粒子中に溶解又は分散させる。香料は例えば、１）製品に配合する前にポリマー中に分散させるか、又は２）製品の配合時又は配合後にポリマーとは別に添加すればよい。例としてはアミン機能性を有するものがあり、これを用いてアミン支援型送達（ＡＡＤ）、及び／又はポリマー支援型送達（ＰＡＤ）、及び／又はアミン反応生成物（ＡＲＰ）に関連した効果を与えることができる。
ｂ．）リザーバ系：リザーバ系は、コア−シェル系（例えば、香料マイクロカプセル）としても知られている。こうした系では、有益剤が、保護シェルとして機能し得る有益剤放出制御膜によって包囲される。好適なシェル材料としては、１つ以上のアミン類と１つ以上のアルデヒド類との反応生成物、例えば、ホルムアルデヒド又はグルタルアルデヒド（gluteraldehyde）と架橋した尿素、ホルムアルデヒドと架橋したメラミン、任意にグルタルアルデヒドと架橋したゼラチン−ポリリン酸塩コアセルベート、ゼラチン−アラビアゴムコアセルベート、架橋シリコーン流体類、ポリイソシアネートと反応したポリアミン、エポキシドと反応したポリアミン、グルタルアルデヒドと架橋したポリビニルアルコール、ポリジビニルクロライド、ポリアクリレートが挙げられ、一態様では、かかるポリアクリレートをベースとする材料は、メチルメタクリレート／ジメチルアミノメチルエチルメタクリレートから形成されるポリアクリレート、アミンアクリレート及び／又はメタクリレート並びに強酸から形成されるポリアクリレート、カルボン酸アクリレート及び／又はメタクリレートモノマー並びに強酸から形成されるポリアクリレート、アミンアクリレート及び／又はメタクリレートモノマー並びにカルボン酸アクリレート及び／又はカルボン酸メタクリレートモノマーから形成されるポリアクリレート、並びにこれらの混合物を含んでよい。
【０１０６】
好適なコア材料としては、香料組成物及び／又は香料原材料が挙げられ、好適な香料組成物は、約２．５を超えるｃＬｏｇＰ及び約２５０℃を超える沸点を有する香料原材料などの持続性香料を含んでよい。更に、好適な香料組成物は、約３を超えるｃＬｏｇＰ及び約２６０℃未満の沸点を有する香料原材料を含むブルーミング香料を含み得る。
【０１０７】
溶媒系の中で有機又は無機物質により安定化され乳化される好適なコア材料は、ポリアクリレート、ポリビニルアルコールのようなアニオン性、非イオン性又はカチオン性のポリマーであり得る。コアシェル系を形成するのに適したプロセスとしては、コーティング、押出成形、噴霧乾燥、界面重合、重縮合、単純コアセルベーション、複合コアセルベーション、フリーラジカル重合、その場乳化重合、マトリクス重合、及びこれらの組み合わせが挙げられる。
【０１０８】
コアシェル系の好適な特徴としては、
ａ）約２０ｎｍ〜約５００ｎｍ、約４０ｎｍ〜約２５０ｎｍ、又は約６０ｎｍ〜約１５０ｎｍのシェル厚、
ｂ）５：９５〜約５０：５０、約１０：９０〜約３０：７０、又は約１０：９０〜約１５：８５のシェル対コア比、
ｃ）約０．１ＭＰａ〜約１６ＭＰａ、約０．５ＭＰａ〜約８ＭＰａ、又は更には約１ＭＰａ〜約３ＭＰａの破壊応力、及び
ｄ）約１μ〜約１００μ、約５μ〜約８０μ、又は更には約１５μ〜約５０μの平均粒径、
が挙げられる。
【０１０９】
コアシェル系に適用することができる好適な付着及び／又は保持改良コーティングとしては、多糖のようなカチオン性ポリマー、例えば、限定されるものではないが、カチオン性加工デンプン、カチオン性加工グアー、ポリシロキサン、ジアリルジメチルアンモニウムハロゲン化物、ポリジアリルジメチルアンモニウムクロリドとビニルピロリドンのコポリマー、アクリルアミド、イミダゾール、イミダゾリニウムハロゲン化物、イミダゾリウムハロゲン化物、ポリビニルアミン、リビニルアミンとＮ−ビニルホルムアミドのコポリマー、及びこれらの混合物が挙げられる。別の態様では、好適なコーティングが、ポリビニルホルムアルデヒド、部分ヒドロキシル化ポリビニルホルムアルデヒド、ポリビニルアミン、ポリエチレンイミン、エトキシル化ポリエチレンイミン、ポリビニルアルコール、ポリアクリレート、及びこれらの組み合わせからなる群から選択されてよい。
【０１１０】
望ましくない物質を除去するために、遠心分離のような、あらゆる残留型の物質を物理的に低減する好適な方法を用いることができる。捕捉剤の使用といった、あらゆる残留型の物質を化学的に低減する好適な方法を採用することも可能であり、捕捉剤としては、例えば、亜硫酸水素ナトリウム、尿素、エチレン尿素、システイン、システアミン、リシン、グリシン、セリン、カルノシン、ヒスチジン、グルタチオン、３，４−ジアミノ安息香酸、アラントイン、グリコウリル、アントラニル酸、アントラニル酸メチル、メチル４−アミノベンゾエート、エチルアセトアセタート、アセトアセトアミド、マロンアミド、アスコルビン酸、１，３−ジヒドロキシアセトン二量体、ビウレット、オキサミド、ベンゾグアナミン、ピログルタミン酸、ピロガロール、メチルガラート、エチルガラート、プロピルガラート、トリエタノールアミン、スクシンアミド、チアベンダゾール、ベンゾトリアゾール、トリアゾール、インドリン、スルファニル酸、オキサミド、ソルビトール、グルコース、セルロース、ポリ（ビニルアルコール）、部分的に加水分解されたポリ（ビニルホルムアミド）、ポリ（ビニルアミン）、ポリ（エチレンイミン）、ポリ（オキシアルキレンアミン）、ポリ（ビニルアルコール）−コ−ポリ（ビニルアミン）、ポリ（４−アミノスチレン）、ポリ（Ｌ−リシン）、キトサン、ヘキサンジオール、エチレンジアミン−Ｎ，Ｎ’−ビスアセトアセトアミド、Ｎ−（２−エチルヘキシル）アセトアセトアミド、２−ベンゾイルアセトアセトアミド、Ｎ−（３−フェニルプロピル）アセトアセトアミド、リリアール、ヘリオナール、メロナール、トリプラール、５，５−ジメチル−１，３−シクロヘキサンジオン、２，４−ジメチル−３−シクロヘキセンカルボキシアルデヒド、２，２−ジメチル−１，３−ジオキサン−４，６−ジオン、２−ペンタノン、ジブチルアミン、トリエチレンテトラミン、水酸化アンモニウム、ベンジルアミン、ヒドロキシシトロネロール、シクロヘキサノン、２−ブタノン、ペンタンジオン、デヒドロ酢酸、又はこれらの混合物などのホルムアルデヒド捕捉剤が挙げられる。
【０１１１】
ＩＩＩ．アミン支援型送達（ＡＡＤ）：アミン支援型送達技術の手法は、アミン基を含有する材料を使用することによって香料の蓄積量を増大させる、又は製品使用時の香料放出性を改変するものである。この手法では、製品への添加に先立って香料原材料とアミンとを予め複合又は予め反応させる必要がない。一態様では、本発明で使用するのに適したアミン含有ＡＡＤ材料は、例えばポリエチレンイミン（ＰＥＩ）などのポリアルキルイミン若しくはポリビニルアミン（ＰＶＡｍ）などの非芳香族、又は例えばアントラニレートなどの芳香族であってよい。こうした材料はポリマー性又は非ポリマー性であってよい。一態様では、こうした材料には、少なくとも１つの一級アミンが含有される。別の態様では、例えば硫黄、リン、セレニウムなどの窒素以外のヘテロ原子を含有する物質をアミン化合物の代わりに使用することができる。更なる別の態様では、上記の代替化合物をアミン化合物と組み合わせて使用することができる。更なる別の態様では、１つの分子がアミン部分と、例えばチオール、ホスフィン、及びセレノールなどの１つ以上の代替ヘテロ原子部分とを有していてもよい。
【０１１２】
ＩＶ．プロ香料（ＰＰ）：この技術は、１つ以上のＰＲＭと１つ以上の担体との間に共有結合を有する材料を形成するために、香料材料と他の基材又は化学物質とを反応させることから得られる、香料技術を指す。ＰＲＭはプロＰＲＭ（すなわちプロ香料）と呼ばれる新たな材料へと変換され、プロＰＲＭは水や光などの誘因への曝露に応じオリジナルのＰＲＭを放出する。プロ香料の非限定的な例としては、マイケル付加物（例えば、β−アミノケトン）、芳香族又は非芳香族イミン（シッフ塩基）、オキサゾリジン、β−ケトエステル、及びオルトエステルが挙げられる。別の態様には、例えばα、β−不飽和ケトン、アルデヒド又はカルボキシルエステルなどの、ＰＲＭを放出可能な１つ以上のβ−オキシ又はβ−チオカルボニル部分を有する化合物が含まれる。
ａ．）アミン反応生成物（ＡＲＰ）：本出願の目的では、ＡＲＰは、ＰＰのサブクラス又は種である。アミン官能基は、典型的にはケトン部分及び／又はアルデヒド部分を含有する１つ以上のＰＲＭと予備反応してアミン反応生成物（ＡＲＰ）を生成することから、「反応性」ポリマー性アミンという呼び方をすることもできる。典型的には、反応性アミンは第１級及び／又は第２級アミンであり、ポリマー又はモノマー（非ポリマー）の一部であり得る。こうしたＡＲＰには、更なるＰＲＭと混合してポリマー支援型送達効果及び／又はアミン支援型送達効果を付加することも可能である。ポリマー性アミンの非限定例としては、ポリエチレンイミン（ＰＥＩ）などのポリアルキルイミン又はポリビニルアミン（ＰＶＡｍ）系のポリマーが挙げられる。モノマー性（非ポリマー性）アミンの非限定例としては、２−アミノエタノール、及びこのアルキル置換誘導体などのヒドロキシルアミン、並びにアントラニレートなどの芳香族アミンが挙げられる。ＡＲＰは予め香料と混合してもよく、リーブオン又はリンスオフの用途では香料と別に添加してもよい。別の態様では、例えば酸素、硫黄、リン又はセレニウムなどの窒素以外のヘテロ原子を含有する物質をアミン化合物の代わりに使用することができる。更なる別の態様では、上記の代替化合物をアミン化合物と組み合わせて使用することができる。更なる別の態様では、１つの分子がアミン部分と、例えばチオール、ホスフィン、及びセレノールなどの１つ以上の代替ヘテロ原子部分とを有していてもよい。
【０１１３】
好適な香料送達システム、特定の香料送達システムの製造方法及びかかる香料送達システムの使用は、米国特許出願第２００７／０２７５８６６（Ａ１）号に開示されている。一態様では、布地ケア組成物は、布地ケア組成物の約０．０１重量％〜約５重量％、あるいは約０．５重量％〜約３重量％、又は約０．５重量％〜約２重量％、又は約１重量％〜約２重量％の純香料を含む。
【０１１４】
一態様では、本発明の組成物は、香料マイクロカプセル（ＰＭＣ）、好ましくは、脆砕性ＰＭＣに封入されている香料油を含む。別の態様では、香料マイクロカプセルは、脆砕性マイクロカプセルを含む。別の態様では、ＰＭＣシェルが、アミノプラストコポリマー、例えば、メラミン−ホルムアルデヒド若しくは尿素−ホルムアルデヒド又は架橋されたメラミンホルムアルデヒド等を含み得る。別の態様では、ＰＭＣシェルが、アクリル材料を含むシェルであってよい。カプセルは、Ａｐｐｌｅｔｏｎ  Ｐａｐｅｒｓ  Ｉｎｃ．（Ａｐｐｌｅｔｏｎ，Ｗｉｓｃｏｎｓｉｎ  ＵＳＡ）から得ることができる。ホルムアルデヒドスカベンジャーを用いてもよい。
【０１１５】
一態様では、本発明の組成物は、洗浄界面活性剤を含まないか、又は実質的に含まない。一態様では、組成物は、組成物の約５重量％未満、あるいは約２重量％未満、あるいは約１重量％未満、あるいは０．５重量％未満の洗浄界面活性剤を含む。
【０１１６】
別の態様では、本発明の布地改良剤は、生体、特に皮膚及び毛髪の症状及び／若しくは疾患の処理に対して適する生物的活性剤（化粧品用又は薬品用）を含まないか、又は実質的に含まない。更に、一態様では、組成物は、酸素感受性の物質（例えばレチノールなどの薬剤）を含まない。
【０１１７】
作製プロセス
本発明の組成物は、ヘミセルロース骨格又はデンプン骨格である骨格を含む疎水変性カチオン性ポリマーと、柔軟仕上げ剤活性物質とを組み合わせることによって作製できる。
【０１１８】
一態様では、本明細書で開示される組成物は、剪断力、乱流及び／又はキャビテーションを生成することによって液体布地改良組成物構成成分を混合する装置を用いて、布地改良組成物を混合するプロセスによって作製できる。特定の態様では、剪断力を誘起するためのプロセスの能力は、混合に有用であり得るだけでなく、液体中の固体粒子の分散のため、液体中の液体の分散のため、及び固体粒子を離散させるためにも有用であり得ることを理解すべきである。特定の態様では、剪断力を誘起する及び／又はキャビテーションを生成するためのプロセスの能力は、液滴及び／又は小胞の形成にも有用であり得る。
【０１１９】
一態様において、
装置中で複数の流体を混合する工程であって、かかる装置が、１つ以上の入口（１Ａ）及び１つ以上の入口（１Ｂ）であって、１つ以上の好適な液体輸送装置と流体連通する１つ以上の入口（１Ａ）及び１つ以上の入口（１Ｂ）と；予混合チャンバ（２）であって、上流端（３）及び下流端（４）を有し、予混合チャンバ（２）の上流端（３）が１つ以上の入口（１Ａ）及び１つ以上の入口（１Ｂ）と液体連通する予混合チャンバ（２）と；オリフィス構成要素（５）であって、上流端（６）及び下流端（７）を有し、オリフィス構成要素（６）の上流端が予混合チャンバ（２）の下流端（４）と液体連通し、オリフィス構成要素（５）が液体を噴射スプレーし、液体中に剪断力、乱流、及び／又はキャビテーションを生成するように構成される、オリフィス構成要素（５）と；二次混合チャンバ（８）であって、オリフィス構成要素（５）の下流端（７）と液体連通する二次混合チャンバ（８）と；液体中に剪断力、乱流、及び／又はキャビテーションを生成した後で液体を排出するために二次混合チャンバ（８）と液体連通する少なくとも１つの出口（９）であって、二次混合チャンバ（８）の下流端に位置する少なくとも１つの出口（９）と、を備え；オリフィス構成要素（５）が、互いに直列に配置された少なくとも２つのオリフィスユニット（１０）及び（１１）を含み、各オリフィスユニットが、少なくとも１つのオリフィス（１３）を備えるオリフィスプレート（１２）と、オリフィスプレート（１２）より上流に位置づけられ、オリフィスプレート（１２）と液体連通しているオリフィスチャンバ（１４）と、を備え、近隣のオリフィスプレートが互いに異なっている工程と、
前記混合工程が、前記輸送装置によって加えられる約０．１バール〜約５０バール、約０．５バール〜約１０バール、約１バール〜約５バールの力を、前記複数の流体に加えることによって達成され、
続いて、約０．１秒〜約１０分、約１秒〜約１分、約２秒〜約３０秒の滞留時間の間、約１０ｇ／ｃｍ  ｓ２〜約１，０００，０００ｇ／ｃｍ  ｓ２、約５０ｇ／ｃｍ  ｓ２〜約５００，０００ｇ／ｃｍ  ｓ２、約１００ｇ／ｃｍ  ｓ２〜約１００，０００ｇ／ｃｍ  ｓ２の剪断エネルギーを、前記混合された複数の流体に加える工程と、
任意に、前記剪断工程の間、及び／又は後に、前記混合された複数の流体を約５℃〜約４５℃、約１０℃〜約３５℃、約１５℃〜約３０℃、約２０℃〜約２５℃の温度まで冷却する工程と、
任意に、前記混合工程及び／又は剪断工程の間に、電解質、一態様では、電解質を含んでいる流体を、前記混合された複数の流体に加える工程と、
任意に、１つ以上の補助成分を前記複数の流体及び／又は混合された複数の流体に加える工程と、
任意に、前記混合された複数の流体を、前記プロセスの１つ以上を通して再循環させる工程と、
を含む、液体組成物の製造方法が、開示される。
【０１２０】
一態様において、前記プロセスは、布地コンディショニングに有用な１つ以上の補助成分を加える工程を含む。
【０１２１】
前記プロセスの一態様では、布地改良活性物質が、布地改良活性組成物の５０重量％〜１００重量％で存在する。
【０１２２】
装置Ａ
図１は、剪断力、乱流、及び／又はキャビテーションの生成によって液体を混合するための装置Ａの一態様を示し、この装置は、少なくとも１つの入口１Ａと、予混合チャンバ２と、を備える。予混合チャンバが、上流端３及び下流端４を有し、上流端４が、少なくとも１つの入口１Ａと液体連通している。装置Ａはまた、オオリフィス構成要素５を備え、このオリフィス構成要素５は上流端６と下流端７とを有する。オリフィス構成要素の上流端６が、予混合チャンバ２の下流端４と流体連通しており、オリフィス構成要素５は、ジェットの形態で液体を噴霧し、かつ液体中に剪断力又はキャビテーションを生成するように構成される。二次混合チャンバ８は、オリフィス構成要素５の下流端７と液体連通している。少なくとも１つの出口９が、剪断力、乱流、及び／又はキャビテーションを液体に生成した後に液体を排出するために二次混合チャンバ８と連通しており、二次混合チャンバ８の下流端に位置づけられる。
【０１２３】
液体は、所望の動作圧で入口１Ａに導入することができる。液体は、所望の動作圧で、標準的な液体ポンプ装置を使用して導入することができる。液体は入口から予混合チャンバ２に流入し、次いで、オリフィス構成要素５に流入する。次いで、液体は、オリフィス構成要素５から出て二次混合チャンバ８に流入し、その後出口９を通って装置Ａを出る。
【０１２４】
図２に示されているように、オリフィス構成要素は、互いに直列に配列された少なくとも２つのオリフィスユニット１０及び１１を備える。各オリフィスユニットが、少なくとも１つのオリフィス１３を備えるオリフィスプレート１２と、オリフィスプレートより上流に位置づけられ、オリフィスプレートと液体連通しているオリフィスチャンバ１４と、を備える。一態様では、オリフィスユニット１０が、オリフィスプレート１２に隣接してその上流に位置づけられたオリフィスブラケット１５を更に備え、オリフィスブラケット１５の壁が、オリフィスチャンバ１４を通る通路を画定する。
【０１２５】
別の態様では、装置Ａは、直列に配置された少なくとも５つのオリフィスユニットを備える。更に別の態様では、装置Ａは、直列に配置された少なくとも１０のオリフィスユニットを備える。
【０１２６】
装置Ａは、オリフィス構成要素５に対向する二次混合チャンバ８内に配置されたナイフ様のブレードのようなブレード１６を少なくとも１つ更に備えてもよいが、必要ではない。
【０１２７】
本発明の装置Ａの構成要素は、噴射器構成要素、入口ハウジング２４、予混合チャンバハウジング２５、オリフィス構成要素ハウジング１９、オリフィス構成要素５、二次混合チャンバハウジング２６、ブレードホルダー１７、及びブレード１６の先端とオリフィス構成要素５の排出口との間の距離を調整するための調整構成要素３１を含むことができる。また、二次混合チャンバ８内の圧力を変化させるために、二次混合チャンバ８の下流に位置づけられる絞り弁（装置Ａの外部にあってよい）があることが望ましい場合もある。入口ハウジング２４、予混合チャンバハウジング２５、及び二次混合チャンバハウジング２６が、任意の好適な構成であってよい。好適な形状には、円筒形、楕円形又は他の好適な形の断面を有する形状を挙げることができるが、これらに限定されない。これらの構成要素それぞれの形状が、同一でなくてもよい。一態様では、これらの構成要素は、概して、実質的に円筒形の内面と、ほぼ円筒形の外面と、を有する円筒形要素を備える。
【０１２８】
これらの構成要素は、任意の好適な材料で作製することができ、ステンレススチール、ＡＬ６ＸＮ、Ｈａｓｔａｌｌｏｙ、及びチタンが挙げられるが、これらに限定されない。ブレード１６及びオリフィス構成要素５の少なくとも一部が、より高い表面硬度又はより高い硬度の材料で作製されることが好ましい場合がある。装置１００の構成要素は、上述の材料の固形ブロックからそれを機械加工することによって（ただしこれに限定されない）、任意の適切なやり方で作製することができる。構成要素は、任意の好適な方法で接合又は結合することができる。
【０１２９】
本明細書に記載したような装置Ａの様々な要素が、共に接合される。本明細書で使用される場合、本明細書で使用される用語「接合された」は、要素を他の要素に直接取付けることによって一方の要素が他方の要素に直接固定される構成、要素を中間体部材（単数又は複数）に取付け、次にそれを他の要素に取付けることによって、一方の要素が他方の要素に間接的に固定される構成、一方の要素が他方の要素によって保持される構成、及び一方の要素が他方の要素と一体である、即ち、一方の要素が他方の要素の一部である構成を含む。特定の態様では、本明細書に記載されている構成要素の少なくともいくつかに、ねじ、締結、又はプレスによる接続を提供して、それらを共に接合することが望ましい場合がある。本明細書に記載する構成要素の１つ以上は、例えば、締結されること、ピンによって共に保持されること、又は別の構成要素内に嵌るように構成されることが可能である。
【０１３０】
装置Ａは、少なくとも１つの入口１Ａを備え、典型的には、１種類を超える材料を装置Ａに送り込むことができるように、入口１Ａ及び１Ｂなどの２つ以上の入口を備える。装置Ａは、任意の好適な数の入口を備えてよく、任意のその数の異なる種類の材料を装置Ａに供給できるようにする。別の態様では、装置Ａのたった１つの入口に２種類の液体の予混合物を導入してよい。次に、この予混合物が、装置Ａに送り込まれる際に剪断力、乱流、及び／又はキャビテーションに供される。
【０１３１】
装置Ａはまた、少なくとも１つのドレイン、又は入口及びドレインの両方の役割を果たす少なくとも１つの二重目的の双方向流れ導管を備えることができる。入口及び任意のドレインは、装置Ａの残りの部分に対して任意の好適な向きで配置され得る。入口及び任意のドレインは、例えば、装置Ａの残りの部分に対して軸方向、半径方向、又は接線方向に向けられてもよい。入口及び任意のドレインは、装置Ａの長手方向軸に対して任意の好適な角度を形成することができる。入口及び任意のドレインは、装置の両側に配置されてもよい。注入口と任意の排液管が装置の側部上に配置される場合、それらが装置の残りの部分に対して、任意の好適な配向にあってもよい。
【０１３２】
一態様では、装置Ａは、装置の残りの部分に対して軸方向に配向された射出器構成要素の形態の入口１Ａを１つ備える。射出器構成要素は第１の材料のための入口を備える。
【０１３３】
予混合チャンバ２は、上流端３、下流端４、及び内壁を有する。特定の態様では、予混合チャンバ２の少なくとも一部分に、初期に軸方向に対称である先細の収縮ゾーン１８が、（射出器の下流端の位置より前に）設けられることによって、上流混合チャンバ２のサイズ（例えば、直径）が、予混合チャンバ２の下流端４に向かってオリフィス構成要素５に近づくにつれて小さくなることが更に望ましい場合がある。
【０１３４】
オリフィス構成要素５は、任意の好適な構成であってよい。いくつかの態様では、オリフィス構成要素５は単一の構成要素を備えることができる。他の態様では、オリフィス構成要素５は、オリフィス構成要素システムの１つ以上の構成要素を備えてよい。オリフィス構成要素システム５の一態様を、図２により詳細に示す。
【０１３５】
この装置はオリフィス構成要素５を備え、このオリフィス構成要素は、少なくとも１つの第１のオリフィスユニット１０及び１つの第２のオリフィスユニット１１を備える。
【０１３６】
図２に示される態様では、オリフィス構成要素５はオリフィス構成要素ハウジング１９を備える。第１のオリフィスユニット１０が、第１のオリフィス１３と第１のオリフィスチャンバ１４とを備える第１のオリフィスプレート１２を備える。一態様では、第１のオリフィスユニット１０が、第１のオリフィスブラケット１５を更に備える。第２のオリフィスユニット１１もまた、第２のオリフィス２１と、第２のオリフィスチャンバ２３と、所望により第２のオリフィスブラケット２２と、を備える、第２のオリフィスプレート２０を備える。これらの構成要素をより詳細に見ると、オリフィス構成要素ハウジング１９が、側壁と、開かれた上流端６と、（第２のオリフィス２１のための開口部を除き）実質的に閉じた下流端７と、を有する、ほぼ円筒形の構成要素である。
【０１３７】
ここで第１のオリフィスユニット１０を参照すると、オリフィスチャンバ１４が、オリフィスプレート１２より上流に位置づけられて、それと液体連通している。第１のオリフィスブラケット１５が、第１のオリフィスプレート１２に隣接しその上流にあるオリフィス構成要素ハウジング９の中に嵌るサイズ及び構成にされて、第１のオリフィスプレート１２をオリフィス構成要素ハウジング９内の定位置に保持する。第１のオリフィスブラケット１５が、第１のオリフィスチャンバ１４を通る通路を画定する内壁を有する。
【０１３８】
第２のオリフィスユニット１１が、第１のオリフィスユニット１０と実質的に同じ構造である。
【０１３９】
オリフィスユニット１０及び１１が、オリフィス構成要素５内に直列に配列される。任意の数のオリフィスユニットをオリフィス構成要素５内に直列に配列することができる。各オリフィスプレートが、少なくとも１つのオリフィスを備えることができる。オリフィスが、装置Ａを通って液体が流れるのを可能にするという条件のもとで、オリフィスプレート上のあらゆる場所に配置され得る。各オリフィスプレートが、隣接するオリフィスプレートと異なる配向で配置される少なくとも１つのオリフィスを備えることができる。一態様では、各オリフィスプレートが、近隣のオリフィスプレートのオリフィスと比較すると中央から外れるように配列された少なくとも１つのオリフィスを備える。一態様では、オリフィスプレート内のオリフィスのサイズが、その場で大きく又は小さくして、すなわち、オリフィスプレートを変更又は取り外しすることなく、調整することができる。
【０１４０】
第１のオリフィスブラケット１５及び第２のオリフィスブラケット２２は、装置Ａの作動中に第１のオリフィスプレートを固定するという条件のもとで、任意の好適な形状又は寸法のものとすることができる。図１及び２は、オリフィスブラケット２２の向き及び寸法の例を示す。別の態様では、オリフィスブラケット２２は、第２のオリフィスプレート２０と第１のオリフィスプレート１２との間の距離の半分のみ延在してもよい。更に別の態様では、第２のオリフィスブラケット２２は、第２のオリフィスプレート２０と第１のオリフィスプレート１２との間の距離の４分の１のみ延在してもよい。
【０１４１】
一態様では、オリフィスプレート１２は、それ自体の中心線の周りを９０°回転することができるように蝶着される。中心軸が、装置Ａの長さに沿って延びる中心線２７と垂直であるという条件のもとで、任意の中心軸であり得る。一態様では、中心軸が軸線２８に沿っていることができる。オリフィス１２に自身の中心線の周りを９０°移動させることにより、第１のオリフィスチャンバ１４及び／又は第２のオリフィスチャンバ２３内に蓄積した過剰な材料をより容易に除去することができる。一態様では、第１オリフィスブラケット１５のサイズ及び／又は配向が、第１オリフィスプレート１２を回転させるように調節することができる。例えば、一態様では、第１のオリフィスブラケット１５を固定解除し、第１のオリフィスプレート１２から離れる上流方向へ予混合チャンバ２に向けて移動させることができる。次いでオリフィスプレート１２の固定を外して９０°回転させることができる。一旦装置Ａを洗浄したら、第１のオリフィスプレート１２をその元の動作構成に戻し、次いで、第１のオリフィスブラケット１５がある場合が、それをその元の動作位置に戻すことができる。第２のオリフィスプレート２０及び存在する任意の追加のオリフィスプレートも枢着されていてよい。第２のオリフィスブラケット２２及び存在する任意の他のオリフィスブラケットもまた、第１のオリフィスブラケット１５で説明されたやり方で調整可能であってよい。
【０１４２】
どの２つのオリフィスプレートも、互いに分離されていなければならない。すなわち、近隣のオリフィスプレート同士が接触してはならない。「近隣の」とは、本明細書では、直列している隣のオリフィスプレートを意味する。近隣の２つのプレートが接触していると、オリフィス間での液体の混合が達成できない。一態様では、第１のオリフィスプレート１２と第２のオリフィスプレート２０との間の距離が１ｍｍ以上である。
【０１４３】
オリフィス構成要素５の要素が、実質的に連続した内面を有する壁によって画定されたチャネルを形成する。結果として、オリフィス構成要素５は、要素間に隙間があるとしてもほとんどなく、先行技術の装置より洗浄しやすくなることが可能である。隣接する要素間のどの接合部も、電気研磨法又はラッピングのような機械的な継ぎ目技法によって高度に機械加工されるので、液体はたとえ高圧下でもそのような要素間の継ぎ目に入ることができない。
【０１４４】
オリフィス要素５及びその構成要素は、任意の好適な材料（単数又は複数）から作製されることができる。好適な材料としては、ステンレススチール、工具鋼、チタン、焼結炭化タングステン、ダイアモンド（例えば、バルクダイアモンド）（天然及び人工）、及びダイアモンドコーティングされた材料（ただしこれに限定されない）を含む上記材料のいずれかによるコーティングが挙げられるが、これらに限定されない。
【０１４５】
オリフィス構成要素５及びその要素が、任意の好適なやり方で形成することができる。オリフィス構成要素システム５の要素のいずれも、バルク形態で入手可能である上記の材料の固体片から形成され得る。要素はまた、上記指定の材料のうちの１つの固体片から形成されてもよく、これが、上記指定の１つ以上の異なる材料によってその表面の少なくとも一部分にわたってコーティングされてもされなくてもよい。装置Ａは、他の剪断力、乱流、及び／又はキャビテーション装置より低い動作圧を必要とするので、高圧での機械的な及び／又は化学的な磨耗によるその内部要素の浸食が起こりにくくなる。これが、その内部要素にダイアモンドコーティングのような高価なコーティングが必要ではなくなる可能性を意味する。
【０１４６】
他の態様では、中に第１のオリフィス１３及び第２のオリフィス２１を有するオリフィス構成要素５は、図２に示されるオリフィス構成要素の構成のような任意の好適な構成を有する単一の構成要素を備えることができる。そのような単一の構成要素は、ステンレス鋼を含むがこれに限定されない任意の好適な材料から作製されてもよい。他の態様では、上述のオリフィス構成要素５の２つ以上の要素を単一の構成要素として形成することができる。
【０１４７】
第１のオリフィス１３及び第２のオリフィス２１が、単独で、又は何らかの他の構成要素との組み合わせで構成されて、流体を混合する、並びに／あるいは流体中に又は流体の混合物中に剪断力、乱流、及び／又はキャビテーションを生成する。第１のオリフィス１３及び第２のオリフィス２１が、それぞれ、任意の好適な構成であってよい。好適な構成には、スロット形、眼形、猫目形、楕円形、三角形、正方形、矩形、いずれかの他の多角形の形状、又は円形が挙げられるが、これらに限定されない。
【０１４８】
ブレード１６が、前縁部２９を含む前方部分、及び後縁部３０を含む後方部分を有する。ブレード１６はまた、上面、下面、及び上面と下面との間で測定される厚さを有する。加えて、ブレード１６が、一対の側縁部、及びこれらの側縁部間で測定される幅を有する。
【０１４９】
図１に示されるように、ブレード１６が装置Ａに挿入されると、ブレード１６の後方部分の一部分が、その部分が固定されるように装置内部に締結されるか、ないしが別の方法で接合される。ブレード１６が、それが装置内部に接合されることができるように、任意の好適な方式で構成され得る。
【０１５０】
図１に示されるように、いくつかの態様では、装置１６が、ブレードホルダー１７を備えてもよい。
【０１５１】
装置Ａは、少なくとも１つの出口又は排出口９を備える。
【０１５２】
装置Ａは、１つ以上の追加の入口を備えてもよい。これらの追加の入口が、装置Ａのどこに位置づけられてもよく、更なる液体の追加を可能にすることができる。一態様では、第２のオリフィスユニットが追加の入口を備える。別の態様では、二次混合チャンバが追加の入口を備える。これが、オリフィス構成要素５を出た液体に、追加される更なる液体を追加することを可能にする。
【０１５３】
使用と使用との合間に装置Ａをより容易に洗浄可能にするように、装置Ａの内部には隙間、引っ込んだ場所、及び割れ目が実質的に一切ないことも望ましい。本明細書に記載される装置Ａの一態様では、オリフィス構成要素５は、一体式構造物に形成されるいくつかの要素を備える。この一体式オリフィス構成要素５の構造物が、予混合チャンバハウジングにユニットとして嵌るものであり、それを定位置に保持するための支持体ブロックを必要とせず、そのような隙間を排除する。
【０１５４】
装置Ａ及びそのための構成要素の様々な他の態様もまた可能である。ブレードホルダー１７が、１つを超えるブレード１６を保持するように構成することができる。例えば、ブレードホルダー１７が、２つ以上のブレードを保持するように構成することができる。
【０１５５】
装置Ｂ
前記液体を所望の微細構造体に変換するための所定時間の間、装置Ａの前記出口９からの流体を装置Ｂ内で更なる剪断力及び／又は乱流に供するのが望ましいことを、本出願人らが見出した。前記流体に与えられる剪断力又は乱流が、単位流体量当たりの全運動エネルギーを推定することによって定量化することができる。前記流体に加えられる全運動エネルギーが、単位流体量当たりの運動エネルギーに、流体が導管、ポンプ、及びインライン剪断装置又は乱流装置のそれぞれを流れる滞留時間を掛けた、流体が受ける合計である。）
【０１５６】
一態様では、装置Ｂが、補助成分を加えるための１つ以上の入口を備えてもよい。
【０１５７】
装置Ｂの一態様では、１つ以上の循環ループ系が、装置Ａの前記出口９と流体連通する。前記循環ループ系は、直列に配置されてもよく、又は並行に配置されてもよい。装置Ａの出口９からの前記流体が、１つ以上の循環ループ系に送り込まれ、該循環ループ系は、１つ以上の循環系ポンプに接続された１つ以上の流体入口、特定の断面積及び長さの１つ以上の循環ループ導管、循環ループ導管から１つ以上の循環ポンプの入口までの１つ以上の連結部、及び循環ループ系導管に接続された１つ以上の流体出口で構成される。所望の滞留時間を達成するためには、１つ以上の導管が必要な場合があることが認識される。据付面積を最小にするために、前記導管の１つ以上の湾曲部又はエルボが有用であり得る。
【０１５８】
前記循環ループ系の例を図３に示す。装置Ａの出口９からの前記流体が、単一循環ループ系に送り込まれ、単一循環ループ系は、循環ループ系ポンプ５１と流体連通し、特定の断面積及び長さの循環ループ系導管５２と流体連通し、前記循環ループ導管５２から前記循環ポンプ５１の前記入り口までの連結部５３と流体連通する流体入口５０と、前記循環ループ導管５２と流体連通する流体出口５４と、を備える。前記態様では、前記流体入口における流量が、流体出口における流量と等しい。前記循環ループ系は、前記循環ループ系に入る又は前記循環ループ系から出ていく入口又は出口における前記流量以上の循環ループ流量を有する。循環ループ系は、循環流量を入口又は出口流量で割ったものと等しい循環流量比によって特徴付けられることができる。
【０１５９】
前記循環ループ系の実施例が、１つ以上の導管長及び導管径と、流体に剪断力又は乱流を付与するように配置されたポンプと、を有する。循環ループ導管が、前記流体に剪断力又は乱流を付与するための１つ以上の装置と流体連通していてもよく、該装置としては、静的ミキサー、オリフィス、流量制御弁、及び／又はＩＫＡ（Ｓｔａｕｆｅｎ）から供給されるもの及び当該技術分野において既知の装置のようなインライン電動ミリング装置が挙げられるが、これらに限定されない。前記導管の１つ以上の湾曲部又はエルボが、所望の運動エネルギー及び滞留時間を提供すると同時に据付面積を最小にするのに有用であることが認識される。前記流体が前記循環ループ系の実施例の中に留まる時間の長さが、前記循環ループ系の全容積を流体入口又は出口流量で割ったものと等しい滞留時間によって定量化され得る。
【０１６０】
別の態様では、装置Ｂが、直列又は並列のいずれかで配置された１つ以上の連続操作式タンクから形成され得る。装置Ａの出口９からの流体が、好適な容量及び形状のタンクと流体連通し、タンクに連続的に送り込まれる。一実施例では、流体が同一流量でタンクから出入りする。前記タンク内における流体の滞留時間が、前記タンク内における流体の容量を入口又は出口の流量で割ったものと等しい。前記タンクが、１つ以上のモータによって駆動される１つ以上のシャフトに取り付けられた１つ以上のインペラからなるミキサー、などの１つ以上の撹拌装置を装備していてもよい。撹拌装置はまた、ＩＫＡ（Ｓｔａｕｆｅｎ，Ｇｅｒｍａｎｙ）から供給されるもののような１つ以上のタンクミリング装置、バッチジェットミキサー及びローターステーターミルなど、であってもよい。タンクが、タンク内の混合剪断力又は乱流を改良するために、１つ以上のバッフルを装備していてもよい。タンクが、限定されるものではないが、内部コイル、又は循環冷却若しくは加熱流体を含む壁面噴流を用いて、タンク内の流体温度を制御するための手段で構成されてもよい。
【０１６１】
タンクはまた、単位流体量当たりの追加の運動エネルギー及び滞留時間を提供する外部循環系を有していてもよい。前記外部循環系は、限定されるものではないが、１つ以上のタンク出口管、１つ以上の電動流体ポンプ、１つ以上の静的剪断装置、１つ以上の電動剪断ミル、流体をタンクに戻す１つ以上の循環入口管（全て流体連通している）で構成されてもよく、直列又は並列に配置され得る。
【０１６２】
装置Ｂの別の態様では、前記タンクの１つ以上は、流体で充填され、単位流体量当たりの運動エネルギーを所望の滞留時間にわたって付与するための上記の混合及び又は循環でタンク内に保持され、その後タンクの出口から除去されてもよい。
【０１６３】
装置Ｂの別の態様では、流体に剪断力又は乱流を所望の滞留時間にわたって付与するために、１つ以上の導管を使用することができる。導管が、限定されるものではないが、任意の順番で直列又は並列に配置される１つ以上の電動流体ポンプ、１つ以上の静的剪断装置、１つ以上の電動剪断ミルと流体連通し得る。所望の滞留時間を達成するためには、１つ以上の長い導管が必要であることが認識される。導管の１つ以上の湾曲部又はエルボが、据付面積を最小にするのに有用であり得る。
【０１６４】
装置Ｂ内の剪断及び乱流中、所望の流体微細構造体を形成するのを助けるために、前記流体に１種以上の任意の補助流体が加えられてもよい。前記流体に対する任意の補助流体の添加が、流体処理業界で周知の方法によって達成され、装置Ｂの中のあらゆる場所に添加され得る。理論に束縛されるものではないが、１種以上の任意の補助流体が、装置Ｂ内の、均一な分散及び該任意の補助流体と前記流体との混合を確実にするポイントにおいて加えられてもよい。上記連続ループ系の実施例における一態様では、任意の補助流体が、入口５５においてポンプ５６を用いて、連続ループポンプ５１の入口と流体連通する射出器５７に導入され得る。更に、前記任意の補助流体はまた、限定されるものではないが、連続ループ入口５０において、及び／若しくは循環ループ導管５２の中に、並びに／又は添加ポイントの任意の組み合わせの中に加えられてもよい。
【０１６５】
装置Ｂ内の剪断中、流体の温度が、変換要件（transformation requirements）に応じて制御又は変更され得る。一態様では、装置Ｂ内の流体温度を変更するのが有用であり得る。前記流体温度の変更が、流体処理業界で周知の方法によって達成され得、熱交換器、パイプジャケット、及び前記流体中への１種以上のより熱い又はより冷たい任意の追加補助流体の注入を非限定的に含み得る。
【０１６６】
一態様において、装置Ａの出口と装置Ｂの入口との間の流体連通が、必要な変換に応じて、約１０分未満、約１分未満、約２０秒未満、約１０秒未満、約５秒未満、又は約３秒未満の前記流体滞留時間に限定され得る。別の態様では、装置Ａの出口と装置Ｂの入口との間の流体連通が、約０．０１秒〜約１０分の流体滞留時間に限定され得る。
【０１６７】
前記装置Ｂの流体入口及び出口が、１つ以上の他の装置と流体連通状態にあってもよい。これら装置としては、限定されるものではないが、熱交換器などのであるがこれに限定されない前記流体の温度を制御する手段、圧力調整弁及びブースターポンプなどのであるがこれに限定されない装置Ｂの圧力を制御する手段、濾過装置などのであるがこれに限定されない前記流体から汚染物質を除去する手段、補助成分送達系などのであるがこれに限定されない前記流体に１種以上の補助成分を添加する手段、流量計、圧力計、及び温度計、並びに流量送信機、圧力送信機、及び温度送信機などのであるがこれに限定されないプロセス制御機能をモニタリングする手段、サンプリング弁、並びに洗浄及び衛生化手段が挙げられる。
【０１６８】
理論に束縛されるものではないが、本出願人らが、装置Ｂが、所望の流体微細構造体の特性の均一性を確実にするために、各流体体積要素に対して均一で一貫した運動エネルギーを一定時間にわたって付与するように設計されるべきであると考える。
【０１６９】
一態様では、本発明の布地改良剤の製造に使用する装置は、超音波ミキサーである。本明細書に用いる市販の装置の一非限定例として、Ｓｏｎｉｃ  Ｃｏｒｐｏｒａｔｉｏｎ（Ｃｏｎｎｅｃｔｉｃｕｔ）が供給するＳｏｎｏｌａｔｏｒ（商標）という超音波ホモジナイザーが挙げられる。
【０１７０】
使用方法
本発明の組成物を用いて、用量を洗濯機に投入又は直接布地に塗布（例えば、噴霧）することにより、布地を処理することができる。このような方法は、布地を本明細書に記載される組成物と接触させる工程を含む。組成物は、すすぎサイクル中又は洗浄サイクルの初め、通常がすすぎサイクル中に洗濯機に投与することができる。本発明の布地ケア組成物は、布地の手洗い、並びに浸漬及び／又は前処理に使用してもよい。組成物は、粉末／顆粒、バー、錠剤、フォーム、フレーク、液体、分散性基材、あるいは乾燥機に加える柔軟仕上げ剤シート上のコーティングとしての形態であり得る。組成物は、単位用量として洗濯機に投入してもよく、複数の用量を含有する容器（例えば、分注キャップ）から分注してもよい。単位用量の例が、水溶性ポリビニルアルコールフィルムに入れられた組成物である。
【０１７１】
一態様では、部位の処理及び／又は洗浄方法であって、
ａ）前記部位を任意に洗浄及び／又はすすぐ工程と、
ｂ）前記部位を本明細書で開示される液体布地改良組成物と接触させる工程と、
ｃ）前記部位を任意に洗浄及び／又はすすぐ工程と、
ｄ）任意に、自動乾燥機及び／又は自然乾燥によって前記部位を乾燥する工程と、
を含む方法が、開示される。
【０１７２】
試験方法
本明細書で開示される組成物の（ｉ）シリコーン付着、（ｉｉ）曳糸性、（ｉｉｉ）粘度の評価方法を以下に詳述する。
【０１７３】
布地に対するシリコーン付着の評価：すすぎサイクル中、１７．５％のビス−（２−ヒドロキシエチル）−ジメチルアンモニウムクロリド脂肪酸エステル、１％のポリジメチルシロキサン、及び０．１％のそれぞれのポリマー（すなわち、実施例１〜３）（全て液体柔軟仕上げ剤組成物の重量に対して）を含有する本発明の液体柔軟仕上げ剤で布地を処理する。すすぎの完了後、乾燥機で布地を乾燥させ、布地を小片に切断し、布地１ｇ当たりの付着したシリコーン量を分析する。抽出溶媒を選択する。無極性シリコーンの場合、抽出溶媒は、トルエン／メチルイソブチルケトン（５０％／／５０％）である。極性シリコーンの場合、抽出が、メチイソブチルケトン／メタノール／ＡＥ３Ｓ（８４．４５％／１５．５％／０．０５％）である。付着したシリコーンの量をＩＣＰ／ＭＳにより求める。
【０１７４】
布地ケア製品の曳糸性の評価カチオン性付着助剤ポリマーを水に溶解させ、
１５．３％のビス−（２−ヒドロキシエチル）−ジメチルアンモニウムクロリド脂肪酸エステル、及び０．２％のそれぞれのポリマー（すなわち、実施例１〜３）（全て液体柔軟仕上げ剤組成物の重量に対して）を含有する液体柔軟仕上げ剤に添加する。１．０ＮのＨＣｌを用いて各混合物のｐＨを約３．５にする。曳糸性は、Ｃａｐｉｌｌａｒｙ  Ｂｒｅａｋｕｐ  Ｅｘｔｅｎｓｉｏｎａｌレオメータ（Ｔｈｅｒｍｏ  Ｆｉｓｈｅｒ  Ｓｃｉｅｎｔｉｆｉｃ  ＨＡＡＫＥ  ＣａＢＥＲ（商標）１）を用いて測定する。製造業者から供給される必要なソフトウェアを用いて、以下の表の通り機器の設定を調整する。サンプルをロードした後、測定を開始し、機器と共に供給されるか又はオンラインで製造業者のウェブサイトから入手可能である詳細なＨＡＡＫＥ  ＣａＢＥＲ  １操作マニュアルに記載の通り自動的にデータを収集する。データは、分裂までの臨界時間（秒で表される）である。
【０１７５】
Ｔｈｅｒｍｏ  Ｆｉｓｈｅｒ  Ｓｃｉｅｎｔｉｆｉｃ  ＨＡＡＫＥ  ＣａＢＥＲ（商標）１において用いられる設定の説明：
【０１７６】
【表１】
2014532820.tif 000026
【０１７７】
粘度の評価：粘度は、ＬＶ２スピンドルを取り付けたＢｒｏｏｋｆｉｅｌｄ  ＤＶ−Ｅ粘度計を用いて６０ＲＰＭで測定する。試験は、機器の指示に従って実施する。
【実施例】
【０１７８】
以下は、本発明の組成物の非限定例であり、かかる組成物は、本明細書に開示される１つ以上の製造プロセスによって製造される。
【０１７９】
【表２】
2014532820.tif 000027
【０１８０】
【表３】
2014532820.tif 000028
ａ  Ｎ，Ｎ−ジ（タローオイルオキシエチル）−Ｎ，Ｎ−ジメチルアンモニウムクロライド。
ｂ  メチル−ビス（タローアミドエチル）−２−ヒドロキシエチルアンモニウムメチルサルフェート。
ｃ  脂肪酸とメチルジエタノールアミンとのモル比１．５：１での反応生成物を塩化メチルで四級化して得られる、Ｎ，Ｎ−ビス（ステアロイル−オキシ−エチル）Ｎ，Ｎ−ジメチルアンモニウムクロライドとＮ−（ステアロイル−オキシ−エチル）Ｎ−ヒドロキシエチルＮ，Ｎジメチルアンモニウムクロライドとの１：１モル混合物。
Ｚ  ヨウ素価が４０である脂肪酸とメチル／ジイソプロピルアミンとの、脂肪酸のアミンに対するモル比が約１．８６〜２．１である反応生成物であって、硫酸メチルで４級化された反応生成物。
ｄ  Ｎａｔｉｏｎａｌ  Ｓｔａｒｃｈから商品名ＨＹＬＯＮ  ＶＩＩ（登録商標）として入手可能なカチオン性高アミローストウモロコシデンプン。
ｅ  Ｃｉｂａから商品名Ｒｈｅｏｖｉｓ  ＣＤＥとして入手可能なカチオン性ポリマー。
ｆ  米国特許第５，５７４，１７９号、第１５段、１〜５行目に記載の式を有する、エチレンオキシドとテレフタレートとのコポリマーであって、式中、各Ｘがメチルであり、各ｎが４０であり、ｕが４であり、各Ｒ１が本質的に１，４−フェニレン部分であり、各Ｒ２は、本質的にエチレン、１，２−プロピレン部分、又はこれらの混合物である。
ｇ  Ｗａｃｋｅｒ製のＳＥ３９
ｈ  ジエチレントリアミン五酢酸。
ｉ  Ｒｏｈｍ  ａｎｄ  Ｈａａｓ  Ｃｏ．から入手可能なＫｏｒａｌｏｎｅ  Ｂ−１１９、「ＰＰＭ」は、「百万分率」である。
ｊ  Ｄｏｗ  Ｃｏｒｎｉｎｇ  Ｃｏｒｐ．から商品名ＤＣ２３１０として入手可能なシリコーン消泡剤。
ｌ  ＢＡＳＦから商品名Ｌｕｐａｓｏｌとして入手可能なポリエチレンイミン。
ｍ  Ｎａｔｉｏｎａｌ  Ｓｔａｒｃｈ（Ｂｒｉｄｇｅｗａｔｅｒ，ＮＪ）のカチオン性デンプンオクテニルコハク酸無水物を非限定的に含む、本明細書で開示されるような疎水変性カチオン性ポリマー。
ｎ  Ｄｏｗ  Ｃｏｒｎｉｎｇから商品名ＤＣ３４６として入手可能なポリジメチルシロキサンエマルション。
ｏ  両方ともＡｋｚｏ  Ｎｏｂｅｌ製のＴＷＥＥＮ  ２０等の非イオン性界面活性剤、又はＢｅｒｏｌ  ６４８及びＥｔｈｏｑｕａｄ  Ｃ  ２５等のカチオン性界面活性剤。
ｐ  Ｗａｃｋｅｒ  Ｓｉｌｉｃｏｎｅｓ，Ｍｕｎｉｃｈ，Ｇｅｒｍａｎｙから市販されているヘキサメチレンジイソシアネート（ＨＤＩ）、及びａ，ｗシリコーンジオール、及び１，３−プロパンジアミン、Ｎ’−（３−ジメチルアミノ）プロピル）−Ｎ，Ｎ−ジメチル−Ｊｅｆｆｃａｔ  Ｚ１３０）又はＮ−（３−ジメチルアミノプロピル）−Ｎ，Ｎジイソプロパノールアミン（Ｊｅｆｆｃａｔ  ＺＲ５０）の反応により作製されるオルガノシロキサンポリマー縮合物。
【０１８１】
（実施例ＸＩＩＩ）
実施例Ｉ〜ＸＩＩの液体布地改良活性物質処方物を用いて布地を柔軟化させる。処方物は、全自動洗濯機のすすぎ中に用いる。すすぎ完了後、布地を乾燥機又は自然乾燥のいずれかで乾燥させる。
【０１８２】
（実施例ＸＩＶ）
また、実施例Ｉ〜ＸＩＩの液体布地改良剤活性物質処方物をそれぞれ、各処方物を包囲するフィルムからなる単位用量包装にも入れる。このような単位用量は、洗浄液及び／又はすすぎ液にこの単位用量を加えることによって使用する。すすぎ完了後、布地を乾燥機又は自然乾燥のいずれかで乾燥させる。
【０１８３】
（実施例ＸＶ）
カチオン性ポリサッカライド変成
本開示の一態様では、疎水変性カチオン性ポリサッカライドは、化学的に変性されており、水溶液又は酸性水溶液中で正電荷を持つポリサッカライドをもたらすポリサッカライドを指す。この化学的変成は、限定ではないが、バイオポリマー分子の中にアミノ及び／又はアンモニウム基を加えることを伴う。これらアンモニウム基の非限定例として、トリメチルヒドロキシプロピルアンモニウムクロライド、ジメチルステアリルヒドロキシプロピルアンモニウムクロライド、又はジメチルドデシルヒドロキシプロピルアンモニウムクロライド、Ｎ，Ｎ−ジアルケニル−Ｎ，Ｎ−ジアルキルアンモニウムハライド、２−メタクリルオキシルエチル［（１−ピロリドニル）−メチル］アンモニウムクロライドなどの置換基を挙げてよい。当業者は、これらのポリマーの作製には、Ｄ．Ｎ．Ｓｃｈｕｌｚ，Ｊ．Ｊ．Ｋａｌａｄａｓ，Ｊ．Ｊ．Ｍａｕｒｅｒ，Ｊ．Ｂｏｃｋ，Ｓ．Ｊ．Ｐａｃｅ，Ｗ．Ｗ．Ｓｃｈｕｌｚ  Ｐｏｌｙｍｅｒ，１９９８，２８，２１１０；Ｃ．Ｅ．Ｊｏｈｎｓｏｎ，Ｊ．Ｐｅｔｒｏｌ．１９７６，１，８５；米国特許第４，８３１，０９７号、同第４，４６４，５２３号に従った複数の方法があることを認識している。Ｓｏｌａｒｅｋ，Ｄ．Ｂ．，Ｃａｔｉｏｎｉｃ  Ｓｔａｒｃｈｅｓ  ｉｎ  Ｍｏｄｉｆｉｅｄ  Ｓｔａｒｃｈｅｓ：Ｐｒｏｐｅｒｔｉｅｓ  ａｎｄ  Ｕｓｅｓ，Ｗｕｒｚｂｕｒｇ，Ｏ．Ｂ．，Ｅｄ．，ＣＲＣ  Ｐｒｅｓｓ，Ｉｎｃ．，Ｂｏｃａ  Ｒａｔｏｎ，Ｆｌｏｒｉｄａ  １９８６，ｐｐ  １１３〜１２５を参照されたく、またスクシネート及びアルケニルスクシネートが、Ｔｒｕｂｉａｎｏ，Ｐ．Ｃ  Ｓｕｃｃｉｎａｔｅ  ａｎｄ  Ｓｕｂｓｔｉｔｕｔｅｄ  Ｓｕｃｃｉｎａｔｅ  Ｄｅｒｉｖａｔｉｖｅｓ  ｏｆ  Ｓｔａｒｃｈ：Ｐｒｏｐｅｒｔｉｅｓ  ａｎｄ  Ｕｓｅｓ，Ｗｕｒｚｂｕｒｇ，Ｏ．Ｂ．，Ｅｄ．，ＣＲＣ  Ｐｒｅｓｓ，Ｉｎｃ．，Ｂｏｃａ  Ｒａｔｏｎ，Ｆｌｏｒｉｄａ  １９８６，ｐｐ  １３１〜１４７で示されている手順によって作製できる。
【０１８４】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば、「４０ｍｍ」として開示された寸法は、「約４０ｍｍ」を意味することを意図する。
【０１８５】
本発明の「発明を実施するための形態」で引用した全ての文献は、関連部分において本明細書に援用するが、いずれの文献の引用もそうした文献が本発明に対する先行技術であることを容認するものとして解釈されるべきではない。本書における用語の任意の意味又は定義は、参照により組み込まれた文献における同一の用語の任意の意味又は定義と相反する限りにおいては、本書においてその用語に与えられた意味又は定義が適用されるものとする。
【０１８６】
本発明の特定の実施形態が例示され記載されてきたが、本発明の趣旨及び範囲から逸脱することなく他の様々な変更及び修正を実施できることは、当業者には自明であろう。したがって、本発明の範囲内にあるそのような全ての変更及び修正を添付の特許請求の範囲で扱うものとする。
【図１】
2014532820.tif 000042
【図２】
2014532820.tif 000043
【図３】
2014532820.tif 000044
【国際調査報告】
2014532820.tif 000045
2014532820.tif 000046
2014532820.tif 000047